(57)【要約】【課題】デジタル放送の方法および装置。【解決手段】最高の送信電力レベルと関連付けられる搬送波は、基本番組情報を伝える放送情報を搬送する。より低い電力レベルと関連付けられる搬送波は、機能拡張情報および／または追加コンテンツを含む放送情報を搬送する。機能拡張情報および／または追加コンテンツには、より高いレベルのビデオおよび／またはオーディオ解像度、追加のビデオおよび／または音声コンテンツ、追加言語のサポート、テキストストリーム、ならびに／あるいは広告が含まれ得る。無線端末は、搬送波の１つまたは複数に対応する放送情報に同調し、該放送情報を受信し、処理する。無線端末は、どの搬送波または搬送波の合成を使って放送信号が回復されるかに応じて、異なるレベルの解像度の、デジタルビデオ放送番組などの放送番組、および／または基本番組に追加する別の、または追加のコンテンツを回復することができる。【選択図】      図１２
2008533819.tif 000002
【特許請求の範囲】
【請求項１】
送信側装置を動作させる方法であって、
異なる搬送波に対応する信号が異なる電力レベルで送信され、前記異なる搬送波が第１の搬送波と第２の搬送波を含む複数の搬送波を使って番組情報を送信することであり、番組情報を送信する前記ステップは、
第１の電力レベルで送信される前記第１の搬送波上で番組情報を送信することと、
前記第１の電力レベルとは異なる第２の電力レベルで送信される前記第２の搬送波上で番組情報を送信することと、
を含むこと、
を備える方法。
【請求項２】
前記送信側装置は基地局であり、
前記第２の搬送波上で番組情報を送信することは、番組情報が前記第１の搬送波上で送信される際の第１の送信情報データ転送速度とは異なる第２の送信情報データ転送速度で番組情報を送信することを含む、請求項１に記載の方法。
【請求項３】
前記第１の電力レベルは前記第２の電力レベルより低く、前記第１の送信情報データ転送速度は前記第２の送信情報データ転送速度より高い、請求項２に記載の方法。
【請求項４】
前記番組情報はビデオ番組を含み、番組情報を送信する前記ステップは、
前記ビデオ番組の少なくとも一部分を、前記第１の搬送波上で第１のビデオ解像度で送信すること、
を含む、請求項２に記載の方法。
【請求項５】
番組情報を送信する前記ステップは、番組情報を、前記第２の搬送波上で、番組情報が前記第１の搬送波上で送信される際の前記解像度より低い解像度で送信することを含む、請求項４に記載の方法。
【請求項６】
番組情報を送信する前記ステップは、同じ番組情報の少なくとも一部を、前記第１と第２両方の搬送波上で、異なる解像度で送信することを含む、請求項５に記載の方法。
【請求項７】
前記複数の異なる搬送波は少なくとも３つの異なる搬送波を含み、番組情報を送信する前記ステップは、同じ番組情報の一部を、前記３つの異なる搬送波のそれぞれで、異なる電力レベルで送信することを含む、請求項４に記載の方法。
【請求項８】
番組情報を送信することが、
同じ番組情報を、前記前記第１と第２の搬送波上で送信することと、前記第１の搬送波上で、前記第２の搬送波上では送信されない追加の番組情報を送信することとを含む、請求項２に記載の方法。
【請求項９】
番組情報を送信することが、ある期間に前記第１の搬送波上で、前記同じ期間に前記第２の搬送波上で送信されるよりも多くの番組情報を送信することを含む、請求項２に記載の方法。
【請求項１０】
前記第２の搬送波信号は、前記第１の搬送波信号より広い地理的領域をカバーし、
前記第１の搬送波上で前記第１の搬送波の第１のカバーエリア内に位置する企業に関する情報を送信することと、
前記第２の搬送波を使って、前記第１のカバーエリア外の、前記第２の搬送波のカバーエリア内にある企業に関する情報を送信することと、
をさらに備える、請求項１に記載の方法。
【請求項１１】
前記第２の搬送波上で送信される前記番組情報は基本ビデオ番組情報であり、前記第１の搬送波上で送信される前記番組情報は、前記基本ビデオ番組と合成して、前記第２の搬送波上で送信される前記番組情報だけを使って可能なビデオ提示よりも高品質のビデオ提示を提供することのできる機能拡張情報である、請求項１に記載の方法。
【請求項１２】
前記第２の搬送波上で送信される前記番組情報は基本番組であり、前記第１の搬送波上で送信される前記番組情報は、前記基本番組に追加コンテンツを加えたものを含む、請求項１に記載の方法。
【請求項１３】
前記追加コンテンツは、前記基本番組に含まれないビデオコンテンツを含む、請求項１２に記載の方法。
【請求項１４】
前記追加コンテンツは、前記基本番組に含まれない追加言語のサポートを含む、請求項１３に記載の方法。
【請求項１５】
前記追加コンテンツは、前記基本ビデオコンテキストと共に表示されるべきテキストストリームを含む、請求項１３に記載の方法。
【請求項１６】
前記追加コンテンツは、前記第２の搬送波上で送信されない広告を含む、請求項１３に記載の方法。
【請求項１７】
前記第２の搬送波上で送信される前記番組情報は基本番組であり、前記第１の搬送波上には、前記第２の搬送波上の前記番組情報と合成して追加コンテンツを提供することのできる番組情報が含まれる、請求項１に記載の方法。
【請求項１８】
前記追加コンテンツは、前記基本番組に含まれないビデオコンテンツ、前記基本番組に含まれない追加言語のサポート、前記基本ビデオコンテンツと共に表示されるべきテキストストリーム、および広告の少なくとも１つを含む、請求項１７に記載の方法。
【請求項１９】
少なくとも第１と第２の搬送波を使用する送信側装置であって、
前記第１と第２の搬送波上での番組情報の送信をスケジュールする送信スケジューリングモジュールと、
前記スケジューリングモジュールの制御下で、少なくとも前記第１と第２の搬送波を使って番組情報を送信するマルチキャリヤ送信機構であり、ｉ）マルチキャリヤ送信機と、ｉｉ）複数の単一搬送波送信機の少なくとも１つを含む前記送信機構と、
前記複数の搬送波の送信電力レベルを、前記第１の搬送波と第２の搬送波の間の電力差を維持するように制御する搬送波電力レベル制御モジュールと、
を備える装置。
【請求項２０】
前記装置は基地局であり、
前記マルチキャリヤ送信機構は、前記第１と第２の搬送波上で、それぞれ、異なる第１と第２の送信情報データ転送速度で番組情報を送信する、請求項１９に記載の装置。
【請求項２１】
格納電力レベル制御情報
をさらに備え、前記搬送波電力レベル制御モジュールは、前記第１の電力レベルを、前記格納電力レベル制御情報の関数として、前記第２の電力レベルより低くなるように制御する、請求項２０に記載の装置。
【請求項２２】
送信されるべき格納番組情報であり、複数の部分を含むビデオ番組を含む前記番組情報と、
第１の解像度で表される前記ビデオ番組の第１の部分が、前記第１の搬送波上でいつ送信されるべきかを示す情報を含む格納送信スケジューリング情報であり、前記送信スケジューリングモジュールによって使用される前記格納送信スケジューリング情報と、
をさらに備える、請求項２０に記載の装置。
【請求項２３】
前記送信スケジューリング情報は、番組情報が前記第２の搬送波上で、番組情報が前記第１の搬送波上で送信される際の前記解像度より低い解像度でいつ送信されるべきかを示すスケジューリング情報を含む、請求項２２に記載の装置。
【請求項２４】
前記送信スケジューリングモジュールは、同じ番組情報の少なくとも一部が、前記第１と第２両方の搬送波上で、異なる解像度で送信されるべき時刻を示す情報を含む、請求項２３に記載の装置。
【請求項２５】
前記マルチキャリヤ送信機構は、少なくとも３つの異なる搬送波をサポートし、
前記スケジューリング情報は、前記マルチキャリヤ送信機構を、前記３つの異なる搬送波のそれぞれで、同じ番組情報の一部を、異なる電力レベルで送信するように制御するための情報を含む、請求項２２に記載の装置。
【請求項２６】
前記スケジューリング情報は、前記マルチキャリヤ送信機構を、前記第１と第２の搬送波上で同じ番組情報を送信し、前記第１の搬送波上で、前記第２の搬送波上では送信されない追加の番組情報を送信するように制御するための情報を含む、請求項２０に記載の装置。
【請求項２７】
前記マルチキャリヤ送信機構は、ある期間に前記第１の搬送波上で、前記同じ期間に前記第２の搬送波上で送信されるよりも多くの番組情報を送信する、請求項２０に記載の装置。
【請求項２８】
前記第２の搬送波信号は、前記第１の搬送波信号よりも広い地理的領域をカバーし、
前記スケジューリング情報は、前記マルチキャリヤ送信機構を、前記第１の搬送波上で、前記第１の搬送波の第１のカバーエリア内に位置する企業に関する情報を送信し、前記第２の搬送波を使って、前記第１のカバーエリア外の、前記第２の搬送波のカバーエリア内にある企業に関する情報を送信するように制御するための情報を含む、請求項１９に記載の装置。
【請求項２９】
前記第１と第２の搬送波上で送信されるべき格納番組情報であり、前記第２の搬送波上で送信されるべき前記番組情報は基本ビデオ番組情報であり、前記前記第１の搬送波上で送信されるべき前記番組情報は、前記前記第２の搬送波上で送信される前記番組情報だけを使って可能なビデオ提示よりも高品質のビデオ提示を提供するように合成され得る機能拡張情報である前記格納番組情報
をさらに備える、請求項１９に記載の装置。
【請求項３０】
前記第２の搬送波上での送信のための格納番組情報であり、基本番組である前記格納番組情報と、
前記第１の搬送波上で送信されるべき格納番組情報であり、前記基本番組に追加コンテンツを加えたものを含む前記格納番組情報と、
をさらに備える、請求項１９に記載の装置。
【請求項３１】
通信装置であって、
異なる搬送波に対応する信号が異なる電力レベルで送信され、前記異なる搬送波が第１の搬送波と第２の搬送波を含む複数の搬送波を使って番組情報を送信する手段であり、
第１の電力レベルで送信される前記第１の搬送波上で番組情報を送信する第１の搬送波の送信手段と、
前記第１の電力レベルとは異なる第２の電力レベルで送信される前記第２の搬送波上で番組情報を送信する前記搬送波送信手段と、
を含む番組情報を送信する前記手段
を備える通信装置。
【請求項３２】
前記装置は基地局であり、
前記第２の搬送波上で番組情報を送信する前記手段は、番組情報が前記第１の搬送波上で送信される際の第１の送信情報データ転送速度とは異なる第２の送信情報データ転送速度で番組情報を送信する手段を含む、請求項３１に記載の通信装置。
【請求項３３】
前記第１の電力レベルは前記第２の電力レベルより低く、前記第１の送信情報データ転送速度は前記第２の送信情報データ転送速度より高い請求項３２に記載の通信装置。
【請求項３４】
前記番組情報はビデオ番組を含み、番組情報を送信する前記手段は、
前記ビデオ番組の少なくとも一部分を、前記第１の搬送波上で、第１のビデオ解像度で送信する手段を含む、請求項３２に記載の通信装置。
【請求項３５】
番組情報を送信する前記手段は、番組情報を前記第２の搬送波上で、番組情報が前記第１の搬送波上で送信される際の前記解像度よりも低い解像度で送信する手段を含む、請求項３４に記載の通信装置。
【請求項３６】
番組情報を送信する前記手段は、同じ番組情報の少なくとも一部を、前記第１と第２両方の搬送波上で、異なる解像度で送信する手段請求項３５に記載の通信装置。
【請求項３７】
前記複数の異なる搬送波は、少なくとも３つの異なる搬送波を含み、番組情報を送信する前記手段は、同じ番組情報の一部を、前記３つの異なる搬送波のそれぞれで、異なる電力レベルで送信する手段を含む、請求項３４に記載の通信装置。
【請求項３８】
無線端末を動作させる方法であって、
放送番組に対応する信号であり、第１の搬送波と第１の送信機に対応する第１の信号と、第２の搬送波と第２の送信機に対応する第２の信号を含み、少なくとも前記第１の搬送波が前記第２の搬送波と異なり、または少なくとも前記第２の送信機が前記第１の送信機と異なる前記信号を受信することと、
前記第１と第２の受信信号を合成することと、
を備える方法。
【請求項３９】
前記合成信号から、音声提示とビデオ提示の少なくとも１つを生成すること、
をさらに備える、請求項３８に記載の方法。
【請求項４０】
前記第１と第２の搬送波は同じであり、前記第１と第２の送信機は異なる、請求項３８に記載の方法。
【請求項４１】
前記第１と第２の搬送波は異なり、前記第１と第２の送信機は同じ送信機である、請求項３８に記載の方法。
【請求項４２】
前記第１と第２の搬送波は異なり、前記第１と第２の送信機は異なる、請求項３８に記載の方法。
【請求項４３】
前記第１の信号は基本番組信号であり、前記第２の信号は機能拡張信号であり、前記合成するステップは、
前記第２の信号内の情報を使って、前記第１の信号から生成される音声提示とビデオ提示の少なくとも１つを機能拡張すること、
を含む、請求項３８に記載の方法。
【請求項４４】
前記機能拡張することは、前記第１の信号に含まれるビデオ画像の解像度を上げることを含む、請求項４３に記載の方法。
【請求項４５】
前記機能拡張することは、前記音声提示またはビデオ提示に、前記第１の信号には存在しない追加の音声またはビデオコンテンツを組み込むことを含む、請求項４３に記載の方法。
【請求項４６】
前記合成するステップを行う前に、
前記第１と第２の信号の少なくとも１つを復号しようと試みることと、
前記復号に成功したか、それとも成功しなかったか判定することと、
前記復号に成功しなかったと判定された場合に、前記合成するステップを行うことと、
前記合成するステップに続いて、前記合成信号を復号することと、
をさらに備える、請求項３８に記載の方法。
【請求項４７】
前記第１と第２の信号は、同じコンテンツを含むが、異なる搬送波上で、または異なる送信機から受け取られる、請求項４６に記載の方法。
【請求項４８】
前記第１と第２の信号は異なる時刻に受け取られ、
前記第１と第２の信号の少なくとも１つから獲得される信号情報を、前記第１と第２の信号の２番目の信号が受け取られるまで格納すること、
をさらに備える、請求項４７に記載の方法。
【請求項４９】
前記第１と第２の信号はＯＦＤＭ信号である、請求項３９に記載の方法。
【請求項５０】
前記第１と第２の信号は異なる搬送波に対応し、
前記第１と第２の信号の１つを受信した後で、前記無線端末を、前記第１と第２の搬送波の１番目の搬送波から、前記第１と第２の搬送波の他の搬送波の２番目の搬送波に再同調するように動作させること、
をさらに備える、請求項３８に記載の方法。
【請求項５１】
無線端末であって、
放送番組に対応する信号であり、第１の搬送波と第１の送信機に対応する第１の信号と、第２の搬送波と第２の送信機に対応する第２の信号を含み、少なくとも前記第１の搬送波が前記第２の搬送波と異なり、または少なくとも前記第２の送信機が前記第１の送信機と異なる前記信号を受信する受信モジュールと、
前記異なる搬送波または前記少なくとも２つの異なる送信機から受け取られる前記放送番組に対応する複数の受信信号を格納するメモリモジュールと、
番組提示を生成する際に使用するために、異なる搬送波上で、または異なる送信機から受け取られる受信信号を合成する合成モジュールと、
を備える無線端末。
【請求項５２】
前記合成信号から、音声提示とビデオ提示の少なくとも１つを生成する番組再生モジュール
をさらに備える、請求項５１に記載の無線端末。
【請求項５３】
前記第１の信号は基本番組信号であり、前記第２の信号は機能拡張信号であり、前記合成モジュールは、
前記第２の信号内の情報を使って、前記第１の信号から生成される音声提示とビデオ提示の少なくとも１つを機能拡張する機能拡張モジュール
を含む、請求項５１に記載の無線端末。
【請求項５４】
前記機能拡張モジュールは、前記第２の信号を機能拡張信号として使用する階層的復号操作を行うことによって、前記第１の信号に含まれるビデオ画像の解像度を上げる階層的復号器を含む、請求項５３に記載の無線端末。
【請求項５５】
前記機能拡張モジュールは、前記音声提示またはビデオ提示に、前記第１の信号には存在しない、前記第２の信号からの追加の音声またはビデオコンテンツを組み込むコンテンツ合成モジュールを含む、請求項５４に記載の無線端末。
【請求項５６】
前記第１と第２の信号の少なくとも１つから獲得される信号情報を、前記第１と第２の信号の２番目の信号が受け取られるまで格納するメモリをさらに備える、請求項５１に記載の無線端末。
【請求項５７】
前記第１と第２の搬送波の１つに同調する同調モジュールと、
前記同調モジュールを、前記第１と第２の搬送波を切り換えるように制御する制御モジュールと、
をさらに備える、請求項５１に記載の無線端末。
【請求項５８】
無線端末であって、
放送番組に対応する信号であり、第１の搬送波と第１の送信機に対応する第１の信号と、第２の搬送波と第２の送信機に対応する第２の信号を含み、少なくとも前記第１の搬送波が前記第２の搬送波と異なり、または少なくとも前記第２の送信機が前記第１の送信機と異なる前記信号を受信する手段と、
前記第１と第２の受信信号を合成する手段と、
を備える無線端末。
【請求項５９】
前記合成信号から、音声提示とビデオ提示の少なくとも１つを生成する手段
をさらに備える、請求項５８に記載の無線端末。
【請求項６０】
前記第１の信号は基本番組信号であり、前記第２の信号は機能拡張信号であり、前記合成するステップは、
前記第２の信号内の情報を使って、前記第１の信号から生成される音声提示とビデオ提示の少なくとも１つを機能拡張する手段
を含む、請求項５８に記載の無線端末。
【請求項６１】
前記機能拡張する手段は、前記第１の信号に含まれるビデオ画像の解像度を上げることを含む、請求項６０に記載の無線端末。
【請求項６２】
前記機能拡張する手段は、前記音声提示またはビデオ提示に、前記第１の信号には存在しない追加の音声またはビデオコンテンツを組み込む手段を含む、請求項６０に記載の無線端末。
【請求項６３】
送信側装置を動作させる方法を実行する命令を実施するコンピュータ可読媒体であって、前記方法は、
異なる搬送波に対応する信号が異なる電力レベルで送信され、前記異なる搬送波が第１の搬送波と第２の搬送波を含む複数の搬送波を使って番組情報を送信することであり、番組情報を送信する前記ステップは、
第１の電力レベルで送信される前記第１の搬送波上で番組情報を送信することと、
前記第１の電力レベルとは異なる第２の電力レベルで送信される前記第２の搬送波上で番組情報を送信することと、
を含むこと、
を備えるコンピュータ可読媒体。
【請求項６４】
前記送信側装置は基地局であり、
前記第２の搬送波上で番組情報を送信することは、番組情報が前記第１の搬送波上で送信される際の第１の送信情報データ転送速度とは異なる第２の送信情報データ転送速度で番組情報を送信することを含む、請求項６３に記載のコンピュータ可読媒体。
【請求項６５】
前記第１の電力レベルは前記第２の電力レベルより低く、前記第１の送信情報データ転送速度は前記第２の送信情報データ転送速度より高い、請求項６４に記載のコンピュータ可読媒体。
【請求項６６】
前記番組情報はビデオ番組を含み、
番組情報を送信する前記ステップの一部として、前記ビデオ番組の少なくとも一部分を、前記第１の搬送波上で、第１のビデオ解像度で送信する命令
をさらに実施する、請求項６４に記載のコンピュータ可読媒体。
【請求項６７】
番組情報を送信する前記ステップの一部として、番組情報を前記第２の搬送波上で、番組情報が前記第１の搬送波上で送信される際の前記解像度よりも低い解像度で送信する命令
をさらに実施する、請求項６６に記載のコンピュータ可読媒体。
【請求項６８】
無線端末を動作させる方法を実行する命令を実施するコンピュータ可読媒体であって、前記方法は、
放送番組に対応する信号であり、第１の搬送波と第１の送信機に対応する第１の信号と、第２の搬送波と第２の送信機に対応する第２の信号を含み、少なくとも前記第１の搬送波が前記第２の搬送波と異なり、または少なくとも前記第２の送信機が前記第１の送信機と異なる前記信号を受信することと、
前記第１と第２の受信信号を合成することと、
を備えるコンピュータ可読媒体。
【請求項６９】
前記合成信号から音声提示とビデオ提示の少なくとも１つを生成する命令
をさらに実施する、請求項６８に記載のコンピュータ可読媒体。
【請求項７０】
前記第１と第２の搬送波は同じであり、前記第１と２の送信機は異なる、請求項６８に記載のコンピュータ可読媒体。
【請求項７１】
前記第１と第２の搬送波は異なり、前記第１と２の送信機は同じ送信機である、請求項６８に記載のコンピュータ可読媒体。
【請求項７２】
前記第１と第２の搬送波は異なり、前記第１と２の送信機は異なる、請求項６８に記載のコンピュータ可読媒体。
【発明の詳細な説明】
【技術分野】
【０００１】
（関連出願）
本願は、参照によりすべて明示的に本明細書に組み込まれる、それぞれ、「ＯＦＤＭ無線通信システムにおける効率のよいダウンリンクデジタルビデオ放送信号の方法および装置（METHODS AND APPARATUS FOR EFFICIENT DOWNLINK DIGITAL VIDEO BROADCAST SIGNALING IN AN OFDM WIRELESS COMMUNICATIONS SYSTEM）」という名称の、２００５年３月８日に出願した米国仮特許出願第６０／６５９，５０９号、２００５年７月６日に出願した米国仮特許出願第６０／６９６，８４７号、２００５年７月８日に出願した米国仮特許出願第６０／６９７，８６５号の利益を主張するものである。
【０００２】
（技術分野）
本発明は、デジタル放送に関し、より詳細には、ビデオ信号やオーディオ信号などの情報を、１つまたは複数の基地局によってサービス提供される領域内の複数のユーザに放送することに関する。
【背景技術】
【０００３】
いくつかの無線通信システムでは、デジタルビデオや、ラジオ番組放送など他の情報信号を、ダウンリンクを介してモバイルユーザに放送することが所望され得る。移動ノードがシステムの至る所を移動する際に、移動ノードのユーザが、連続する、またはほぼ連続する番組信号、例えば、リアルタイムで復号され、表示されるべきテレビショーなどを受信し、復号できることが望ましい。用いられる１つの手法は、システム内の隣接する基地局が同じ信号を同時に放送し、基地局送信機の間のタイミング同期が、シンボルレベルに合わせて制御されるものである。同じ情報が、異なる隣接する基地局によって、同時に、同じトーン上で送信される。この手法には、異なる基地局から受け取られる信号が、時間的にシンボル送信期間のほんの一部分だけしかずれないように、基地局間で高度のシンボル送信タイミング同期を必要とするという欠点がある。
【０００４】
図１は、２つの隣接する基地局（ＢＳＡ１０２、ＢＳＢ１０４）が、単一の搬送周波数（Ｃ）と、符号化デジタル放送情報ビットを搬送する変調シンボルを搬送する同じサブキャリア周波数、例えばトーンなどを使って、同じ信号を同時に送信する例を示す図１００である。図１では、移動ノード１０６が、ＢＳＡ１０２とＢＳＢ１０４から等距離に位置している。ＭＮ１０６に関して、図１に、２つの基地局（１０２、１０４）間の等距離地点を表す線１０８に対してＳＡ１１０とＳＢ１１２が整列していることによって示すように、ＢＳＡ１０２からの信号Ａ（ＳＡ）１１０は、ＢＳＢ１０４からの信号Ｂ（ＳＢ１１２）と同時に到達する。本明細書では、距離を使って、ある地点から別の地点、例えば、基地局から移動ノードまでの信号の移動時間を示す。環境内の状況、例えば反射物体などが、信号移動時間を、２点間の直線距離と異なるものにすることもある。距離は、図示の都合上使用するものである。異なる基地局から受け取られる信号間のシンボルタイミング同期を維持させるために、基地局（１０２、１０４）は、緊密に同期され、基地局間で同期レベルが維持される必要がある。ＳＡ１１０とＳＢ１１２は、個々に、それぞれのペイロード情報（１１４、１１６）、例えば、変調シンボル値部分などと、同期に使用される、それぞれのサイクリックプレフィックス部分（ＣＰ）（１１８、１２０）を含む。これらの信号（ＳＡ１１０とＳＢ１１２）は、無線リンクを介して合成され、この合成信号が、情報ビットを回復するＭＮ１０６によって受け取られ、復号される。
【０００５】
図２は、ＭＮ１０６が２つのＢＳ（１０２、１０４）から等距離にないときに、受信信号（ＳＡ１１０’、ＳＢ１１２’）が、相互に対する同期を失いがちになり、同期損失の量は、ＭＮと各ＢＳの間の信号経路距離の差の関数であることを示す図２００である。ＳＢ１１２’は、ＭＮ１０６から見て、信号ＳＡ１１０’に対して遅延する。ＭＮ１０６は、例えば、２つの信号間の信号遅延差がサイクリックプレフィックスの期間を超えない場合など、サイクリックプレフィックス間に少なくとも若干のオーバーラップがある受信信号を回復することができることもある。ＳＡ１１０’は、ペイロード部分１１４’とＣＰ部分１１８’と含み、ＳＢ１１２’は、ペイロード部分１１６’とＣＰ部分１２０’を含む。図２００には、信号１１０’と１１２’の両方を受信するＭＮ１０６から見た、ＣＰ１１８’とＣＰ１２０’の間の部分的オーバーラップが示されている。
【０００６】
図３は、ＭＮ１０６が、ＳＡ１１０”からのサイクリックプレフィックス１１８”がＳＢ１１２”からのサイクリックプレフィックス１２０”とオーバーラップしないように位置し、このため、ＳＡ１１０”がＳＢ１１２”に干渉し、逆もまた同様であるような例を示す図３００である。ＭＮ１０６は、通常は、この干渉から生じる信号品質の劣化のために、かかる放送信号を回復し、復号することができないはずである。図４に、この問題を改善するのに使用される１つの公知の手法を示す。サイクリックプレフィックスの長さが増大され、これによって、より大きなオーバーラップ領域が可能になる。しかしながら、サイクリックプレフィックスは信号オーバーヘッドを表し、よって、サイクリックプレフィックス長のどんな増加も、システムにおける情報ビットスループットの減少に相当する。
【０００７】
図３と図４のＭＮ１０６受信信号タイミングを比較する。図３では、ＳＡ１１０”は、ペイロード情報１１４”とＣＰ１１８”を含み、ＳＢ１１２”は、ペイロード情報１１６”とＣＰ１２０”を含む。図４では、ＳＡ１１０”’は、ペイロード情報１１４”’とＣＰ１１８”’を含み、ＳＢ１１２”’は、ペイロード情報１１６”’とＣＰ１２０”’を含む。ＣＰ（１１８”’と１２０”’）は、ＣＰ（１１８”と１２０”）よりも期間が長いが、ペイロード情報部分（１１４”’と１１６”’）は、ペイロード情報部分（１１４”と１１６”）よりも期間が短いことに留意されたい。図４で表すＣＰ期間の増加は、結果としてＣＰ（１１８”’と１２０”’）間のオーバーラップを生じており、ペイロード情報の正常な回復の可能性が助長されるが、これは、ペイロードの減少という犠牲を払ってもたらされるものである。
【０００８】
図５は、ＯＦＤＭダウンリンクトーンの例が、トーン間間隔を有することを示す図５００である。Ｎ個の例示的ダウンリンクトーン（トーン１  ５０２、トーン２  ５０４、トーン３  ５０６、トーン４  ５０８、・・・、トーンＮ−１  ５１０、トーンＮ  ５１２）が、トーン間間隔デルタｆ５１４を置いて示されている。より長いサイクリックプレフィックス長による損失容量を補償するのに使用され得る１つの手法が、トーン間隔を通常使用され得るものよりも小さくして、所与の周波数帯により多くのトーンを組み込むものである。この手法では、すべてのトーンが、なお、確実に受け取られ得ると仮定すれば、同じ周波数容量により多くの情報を詰め込むことができる。トーン間隔を短縮するこの手法は、移動ユーザ、特に、車、バスまたは列車で移動中のユーザなどの高速移動ユーザには役に立たない。というのは、運動が、信号の知覚される周波数を歪ませ、間隔の狭いトーンを確実に復号することを難しくし得るからである。
【発明の開示】
【０００９】
以上を考慮すると、デジタルビデオ放送などの同時放送の公知の手法は、しばしば、（ｉ）シンボル送信タイミング同期を、異なる基地局間で、サイクリックプレフィックス以下の期間内など、高度に維持する必要がある、（ｉｉ）サイクリックプレフィックスを比較的冗長にする必要があり、望ましくないオーバーヘッド量を生じる、（ｉｉｉ）狭いトーン間隔の使用がモバイル機器による受信と処理に干渉しがちであり、結果として、移動性のサポートが不十分になり得る、という望ましくない影響の一部または全部を含む。
【００１０】
前述の問題を考慮すると、前述の問題の１つまたは複数を低減し、かつ／または克服する、ＯＦＤＭ無線通信システムにおいて、ダウンリンクデジタルビデオ放送などのダウンリンク放送を円滑に行わせる新規の方法および装置が求められている。
【００１１】
（概要）
各実施形態は、テレビ、ラジオ、広告、および／または他の番組または情報といった放送信号を送信する方法および装置など、送信側の装置および方法を対象とする。該方法および装置は、少なくとも一部は異なる送信電力レベルを有する複数の搬送波を使って番組情報を送信する、基地局などの送信側装置を使って実施され得る。
【００１２】
いくつかの実施形態では、最高の送信電力レベルと関連付けられる搬送波は、基本番組情報を伝達する放送情報を搬送する。より低い電力レベルと関連付けられる搬送波は、機能拡張情報および／または追加コンテンツを含む放送情報を搬送する。機能拡張情報および／または追加コンテンツには、より高いレベルのビデオおよび／またはオーディオ解像度、追加のビデオおよび／または音声コンテンツ、追加言語のサポート、次のストリーム、ならびに／あるいは広告が含まれ得る。無線端末は、搬送波の１つまたは複数に対応する放送情報に同調し、該放送情報を受信し、処理する。無線端末は、どの搬送波または搬送波の合成を使って放送信号が回復されるかに応じて、異なるレベルの解像度の、デジタルビデオ放送番組などの放送番組、および／または基本番組に追加する別の、または追加のコンテンツを回復することができる。
【００１３】
いくつかの実施形態では、情報が、異なる搬送波上を異なるデータ転送速度で送信される。いくつかの実施形態では、各搬送波が異なる情報を搬送するが、実装形態によっては、より高いデータ転送速度で通信するのに使用される搬送波が、より低いデータ転送速度の搬送波と同じ情報に、追加情報を加えたものを搬送し得る。しかしながら、他の実施形態では、より高いデータ転送速度の搬送波は、より低いデータ転送速度の搬送波上で搬送されるコンテンツを搬送しない。
【００１４】
異なる搬送波が異なる送信電力レベルを有するものと仮定すると、異なる搬送波は、通常、異なる地理的領域をカバーする。全部ではないが一部の実施形態では、広告および／または他の地域的に的を絞った情報が、異なる搬送波の異なるカバーエリアを考慮に入れて、異なる搬送波上で送信される。
【００１５】
いくつかの特徴は送信側装置を対象とし、別の特徴は、受信側装置を対象とする。送信機は、必ずしもそうとは限らないが、基地局で実施され得る。受信側の方法および装置は、無線端末で実施され得るが、かかる装置だけに限定される必要はなく、別の装置またはネットワークへの有線接続に加えて、無線受信機を含む装置でも使用され得る。また、各実施形態は、１つまたは複数のステップを実施するのに使用され得る１つまたは複数のルーチンを格納する、メモリ装置などのデータ記憶装置、ならびに１つまたは複数のモジュールまたは装置を実施するのに使用され得る、集積回路チップなどの回路も対象とする。
【００１６】
上記の概要では、様々な実施形態を論じているが、必ずしもすべての実施形態が同じ特徴を含むとは限らず、前述の特徴のいくつかは、いくつかの実施形態において、必須ではないが、望ましいとされ得ることが理解されるはずである。以下の詳細な説明で、多くの追加の特徴、実施形態および利点について論じる。
【００１７】
（詳細な記述）
様々な実施形態の方法および装置は、テレビ放送や音声放送などの放送サービスを提供するのに使用することもできるが、特定の種類の放送であるマルチキャストサービスを提供するのに利用することもできる。マルチキャストサービスは、全員にではなく特定のユーザグループに情報を提供する目的で信号が送信される用途に適し得る。
【００１８】
様々な実施形態の方法は、例えば、有料顧客に、他の信号ではなく、有料顧客がアクセス代金を支払う放送信号を解読するのに十分な情報が提供され得るペイパービューなどを含む、各種のサービスをサポートするのに使用され得る。しかしながら、これらの方法は、かかる実施形態だけに限定されず、放送信号を受信し、復号し、使用する資格を得るのに、加入契約が必要とされない場合にも使用され得る。
【００１９】
図６に、ラジオ（音声）やビデオ番組放送などのダウンリンクデジタル放送をサポートする無線通信システム６００を示す。例示的システム６００は複数の基地局６０２、６０４（ＢＳＡ、ＢＳＢ）を含み、各基地局は、複数の搬送周波数Ｃ１、Ｃ２、Ｃ３など、少なくとも２つの異なる搬送周波数上でＯＦＤＭ信号をサポートする。図６の例では、各基地局６０２、６０４が３つの搬送波（Ｃ１、Ｃ２、Ｃ３）をサポートし、各基地局６０２、６０４を取り囲む異なるサイズの円で表すように、異なる送信電力レベルが各搬送波と関連付けられ、使用される。基地局Ａ６０２は、それぞれ、円（６０６、６０８、６１０）で示される（高、中、低）電力レベルの搬送波（Ｃ１、Ｃ２、Ｃ３）上でダウンリンク信号を送信する。基地局Ｂ６０４は、それぞれ、円（６１２、６１４、６１６）で示される（高、中、低）電力レベルの搬送波（Ｃ３、Ｃ１、Ｃ２）上でダウンリンク信号を送信する。隣接する基地局６０２、６０４は、隣接する基地局が、通常は、同じ搬送波に同じ電力レベルを使用しないように、異なる順序付けで搬送波と関連付けられる電力レベルを使用する。よって、隣接する基地局６０２、６０４は、同じ搬送波Ｃ１およびＣ３を使用し得るが、これらの搬送波Ｃ１、Ｃ３上で異なる電力レベルを使用する。Ｃ２など別の共通の搬送波は、使用されるときには、各ＢＳ６０２、６０４によって同じ電力レベルで送信されても、各ＢＳにおいて異なる電力レベルで送信されてもよい。また、例示的システム６００は、移動ノードなどの複数の無線端末も含む。システム６００には、例示的ＭＮ６１８が示されており、例示的ＭＮ６１８は移動中でもよい。図１３と図１５に、ＢＳの例（１３００、１５００）を示す。図１４と図１６に、無線端末の例（１４００、１６００）を示す。
【００２０】
２つの異なる隣接するＢＳ６０２、６０４からの、Ｃ１とＣ３など２つの異なる搬送波は、同じ放送情報を、異なる時刻に搬送する。ダウンリンク放送セグメントは、例えば、おおよそ２０ミリ秒の長さとし得る。２つの隣接する基地局は、シンボルレベルに緊密に同期されず、むしろ、基地局間には非常に粗いレベルの同期が存在し、例えば、同期は、通常、シンボルを送信するのに使用されるサイクリックプレフィックスの外側のレベルに存在し、ＢＳ６０２、６０４は、シンボル送信期間内にさえ同期されないこともある。図７は、横軸の時間７０４に対して縦軸に異なるＢＳの搬送波送信７０２を表す図７００を含む。図７００は、例示的ＢＳＡの搬送波Ｃ１のダウンリンク放送送信セグメントのシーケンス７０６（セグメント１  ７０８、セグメント２  ７１０、セグメント３  ７１２、・・・、セグメントＮ  ７１４）と、例示的ＢＳＢの搬送波Ｃ３のダウンリンク放送送信セグメントのシーケンス７１６（セグメント１  ７１８、セグメント２  ７２０、セグメント３  ７２２、・・・、セグメントＮ  ７２４）を含む。図７には、搬送周波数Ｃ１を使ったＢＳＡからのセグメント（７０８、７１０、７１２、・・・、７１４）の送信タイミングの例と、搬送周波数Ｃ３を使ったＢＳＢからのセグメント（７１８、７２０、７２２、・・・、７２４）の送信タイミングの例が示されている。同じ情報が異なるＢＳから、異なる時刻に、それぞれ異なる搬送波、Ｃ１とＣ３を使って搬送される。例えば、搬送波Ｃ１を使ってＢＳＡ６０２によって送信されるダウンリンク放送送信セグメント１  ７０８は、搬送波Ｃ３を使ってＢＳＢ６０４によって送信されるダウンリンク放送送信セグメント１  ７１８と同じ情報を伝達するが、これら２つのセグメントは、時間的にずれる。いくつかの実施形態では、同じ情報を搬送する２つのセグメントは、時間的に１セグメント期間よりも多くずれる。いくつかの実施形態では、ＤＬ放送セグメント１  ７０８の送信の末尾など、第１の基地局からのセグメントの送信の末尾と、ＤＬ放送セグメント１  ７１８の先頭など、隣接する基地局からの対応するセグメントの送信の先頭の間の時間的な差を、例えば、１セグメント未満の間隔であるが、１、または２、３、１０以上など複数のシンボル送信期間離れたものとすることができる。いくつかの実施形態では、同じ情報を搬送する２つのセグメントは、時間的には１セグメント未満の期間であるが、１、または２、３、１０以上など複数のシンボル送信期間ずれる。
【００２１】
図８は、各基地局が同じ情報を搬送するのに異なる搬送周波数を使用する複数の隣接する基地局からダウンリンク放送信号を受信する無線端末を動作させる方法の例を示す流れ図８００である。無線端末と隣接する基地局は、例示的ＯＦＤＭ通信システムの一部とすることができる。例示的無線端末は、単一のＲＦ受信チェーンを有し得る。処理はステップ８０１から開始し、ここで図６の例示的ＭＮ６１８などのＷＴが電源投入され、初期設定される。処理は、ステップ８０１から８０２と８０４に進む。ステップ８０２で、ＷＴは、搬送波信号の周期的チェックなどを行うように動作する。例えば、ＢＳ８０２、６０４から送信されるビーコン信号が監視され、受け取られ、評価されて、第１の搬送波が、第１の基地局に対応するものと識別され、第２の搬送波が、識別される第１の搬送波と同じ放送情報を、タイミングオフセットを持たせて搬送する、隣接する基地局の搬送波に対応するものと識別される。第１の搬送波は、例えば、図６のＢＳＡ６０２に対応する搬送波Ｃ１とすることができ、第２の搬送波は、図６のＢＳＢ６０４に対応する搬送波Ｃ３とすることができる。
【００２２】
ステップ８０４で、ＷＴは、第１の搬送波Ｃ１上のダウンリンク放送信号、例えば、搬送波Ｃ１を使ったＢＳＡ６０２からの信号などを受信するように動作する。次にステップ８０６で、ＷＴは、受信信号を復号しようと試みるように動作する。ステップ８０８で、復号に成功した場合、処理は、ステップ８０４に戻って、同じ搬送波Ｃ１上で次の信号を受信する。例えば、これは、ＷＴが、搬送波Ｃ１を使用するＢＳＡ６０２に関して適切なチャネル品質を有する場合のシナリオとすることができる。しかしながら、復号に成功しなかった場合、処理は、ステップ８０８からステップ８１０に進み、ここで、ＷＴはこの受信機を第２の搬送波、例えば、ＢＳＢ６０４ダウンリンク信号に対応する搬送波Ｃ３などに変更する。
【００２３】
次いで、ステップ８１２で、無線端末は、第２の搬送波上でダウンリンク放送信号を受信するように動作する。ステップ８１４で、無線端末は、受信信号を復号しようと試みる。復号に成功した場合、処理は、ステップ８１６からステップ８１２に戻り、第２の搬送波を使って次の信号を受信し、処理する。しかしながら、復号に成功しない場合、処理は、ステップ８１６からステップ８１８に進む。ステップ８１８で、無線端末は、第１の搬送波に切り換えるように動作し、処理は、ステップ８０４に戻って、次の信号を受信する。
【００２４】
図９に、図６にシステムに類似した別のシステムの例９００を示す。しかしながら、図１０に示される、図９の実施形態の基地局ダウンリンク信号の信号タイミング構造は、図７に示される、図６の実施形態に対応するタイミング構造とはわずかに異なる。図１０の例では、無線端末受信機が、搬送波間を行ったり来たりして切り換えることによって、継続して２つの隣接する基地局から同じセグメントを受信し、いくつかの実施形態では、合成プロセスによって情報ビットを回復することができるように、各基地局からの同じ信号に、意図的に間隔が取られる。
【００２５】
例示的システム９００は複数の基地局９０２、９０４（ＢＳＡ、ＢＳＢ）を含み、各基地局は、複数の搬送周波数Ｃ１、Ｃ２、Ｃ３など、少なくとも２つの搬送周波数上でＯＦＤＭ信号をサポートする。図９の例では、各基地局基地局９０２、９０４は３つの搬送波（Ｃ１、Ｃ２、Ｃ３）をサポートし、各基地局基地局９０２、９０４を取り囲む異なるサイズの円で表されるように、異なる送信電力レベルが各搬送波と関連付けられ、使用される。基地局Ａ９０２は、それぞれ、円（９０６、９０８、９１０）で示される（高、中、低）電力レベルの搬送波（Ｃ１、Ｃ２、Ｃ３）上でダウンリンク信号を送信する。基地局Ｂ９０４は、それぞれ、円（９１２、９１４、９１６）で示される（高、中、低）電力レベルの搬送波（Ｃ３、Ｃ１、Ｃ２）上でダウンリンク信号を送信する。また、例示的システム９００は、複数の移動ノードなどの無線端末も含む。システム９００にはＭＮの例９１８が示されており、例示的ＭＮ９１８は移動中でもよい。
【００２６】
図１０の例では、ＭＮ９１８などの無線端末受信機が、搬送波間を行ったり来たりして切り換えることによって、継続して２つの隣接する基地局から同じセグメントを受信し、いくつかの実施形態では、合成プロセスによって情報ビットを回復することができるように、各基地局からの同じ信号に、意図的に間隔が取られる。
【００２７】
図１０は、横軸の時間１００４に対して、縦軸に異なるＢＳの搬送波送信１００２を表す図１０００を含む。図１０００は、例示的ＢＳＡの搬送波Ｃ１のダウンリンク放送送信セグメントのシーケンス１００６（セグメント１  １００８、セグメント２  １０１０、セグメント３  １０１２、・・・）と、例示的ＢＳＢの搬送波Ｃ３のダウンリンク放送送信セグメントのシーケンス１０１４（セグメント１  １０１６、セグメント２  １０１８、セグメント３  １０２０、・・・）を含む。図１０には、搬送周波数Ｃ１を使用するＢＳＡからのセグメント（１００８、１０１０、１０１２、・・・）の送信タイミングの例と、搬送周波数Ｃ３を使用するＢＳＢからのセグメント（１０１６、１０１８、１０２０、・・・）の送信タイミングの例が示されている。同じ情報が、異なるＢＳから、異なる時刻に、それぞれ、異なる搬送波、Ｃ１とＣ３を使って搬送される。例えば、搬送波Ｃ１を使ってＢＳＡ９０２によって送信されるダウンリンク放送セグメント１  １００８は、搬送波Ｃ３を使ってＢＳＢ９０４によって送信されるダウンリンク放送セグメント１  １０１６と同じ情報を伝達するが、２つのセグメントは、時間的にずれる。いくつかの実施形態では、同じ情報を搬送する２つのセグメントが、時間的に、１セグメント期間よりも多くずれる。いくつかの実施形態では、ＤＬ放送セグメント１  １００８の送信の末尾など、第１の基地局からのセグメントの送信の末尾と、ＤＬ放送セグメント１０１６の先頭など、隣接する基地局からの対応するセグメントの送信の先頭の間の時間的な差を、例えば、１セグメント未満の間隔であるが、１、または２、３、１０以上など、複数のシンボル送信期間離れたものとすることができる。いくつかの実施形態では、時間的分離は、ＷＴ９１８が、２つの搬送周波数間を、往復するなどして切り換わるようなものとされる。いくつかの実施形態では、異なる基地局からの異なる搬送波を介するなど、同じ情報を搬送する２つの放送セグメントからの情報を合成することによって、セグメントが、そうではなく、一方の基地局からは利用できたが、他方の基地局は利用できなかった場合には、情報を回復することができなかった可能性のある場合でも、搬送される情報を回復することができる。
【００２８】
いくつかの実施形態では、ＢＳＡ９０２と搬送波Ｃ１などの所与の基地局と搬送波での、（１００８、１０１０、１０１２、・・・）などのセグメントのシーケンスに対応するＤＬ放送セグメントのそれぞれが、搬送波Ｃ３を使用するＢＳＢ９０４などの隣接する基地局から送信される、（１０１６、１０１８、１０２０、・・・）などの対応するセグメントのシーケンスも、搬送波を切り換える単一のＲＦチェーンを含む同じ無線端末受信機によって受け取られ、処理され得るように、相互に間隔が取られ、織り交ぜられる。
【００２９】
いくつかの実施形態では、所与の基地局と搬送波について、例えば、それぞれが間隔を置いたセグメントのシーケンスを含む複数の異なる放送チャネルがサポートされ、各チャネルが、例えば、チャネル１がセグメント１を放送し、チャネル２がセグメント１を放送し、チャネル３がセグメント１を放送し、チャネル１がセグメント２を放送し、チャネル２がセグメント２を放送し、チャネル３がセグメント２を放送し、チャネル１がセグメント３を放送し、チャネル２がセグメント３を放送し、チャネル３がセグメント３を放送し、・・・、チャネル１がセグメントｎを放送し、チャネル２がセグメントｎを放送し、チャネル３がセグメントｎを放送するなどのように、時間的に編成され得る。異なる電力レベルなどの異なる搬送波を使って同じ放送チャネルを送信する、隣接する基地局は、例えば、無線端末が、２つ以上のソースから同じ情報を受信し、処理することができるように、意図的にタイミングがずらされてもよい。例えば、搬送波Ｃ１を使用する第１の基地局がチャネル３セグメント１の送信を開始するときから、２、３、１０以上など複数のＯＦＤＭシンボル送信時間間隔内などのおおよその時刻に、第２の基地局が、チャネル１セグメント１を送信し始めてもよい。
【００３０】
図１１は、各基地局が同じ情報を搬送するのに異なる搬送周波数を使用する複数の隣接する基地局からダウンリンク放送信号を受信する無線端末を動作させる方法の例を示す流れ図１１００である。例示的無線端末は、単一のＲＦ受信チェーンを有する。処理は、ステップ１１０１から開始し、ここで、図９の例示的ＭＮ９１８などのＷＴが電源投入され、初期設定される。処理は、ステップ１１０１からステップ１１０２とステップ１１０４に進む。ステップ１１０２で、ＷＴが、搬送波信号の周期的チェックなどを行うように動作する。例えば、ビーコン信号が監視され、受け取られ、評価されて、第１の搬送波が、第１の基地局に対応するものと識別され、第２の搬送波が、識別される第１の搬送波と同じ放送情報を、タイミングオフセットを持たせて伝達する、隣接する基地局の搬送波に対応するものと識別される。第１の搬送波は、図９のＢＳＡ９０２に対応する搬送波Ｃ１などとすることができ、第２の搬送波は、図９のＢＳＢ９０４に対応する搬送波Ｃ３とすることができる。
【００３１】
ステップ１１０４で、ＷＴは、第１の搬送波上のダウンリンク放送信号、例えば搬送波Ｃ１を使用するＢＳＡからの信号などを受信するように動作する。次に、ステップ１１０６で、無線端末は、受信信号のコピーを格納するように動作する。次いでステップ１１０８で、ＷＴは、受信信号を復号しようと試みるように動作する。ステップ１１１０で、復号に成功した場合、処理はステップ１１０４に戻って、同じ搬送波上で次の信号を受信する。例えば、これは、ＷＴが、搬送波Ｃ１を使用するＢＳＡに関して適切なチャネル品質を有する場合のシナリオとすることができる。しかしながら、復号に成功しなかった場合、処理は、ステップ１１１０からステップ１１１２に進み、ここで無線端末は、これの受信機を、第２の搬送波、例えば、ＢＳＢダウンリンク信号に対応する搬送波Ｃ３などに切り換えるように動作する。
【００３２】
次いで、ステップ１１１４で、無線端末は、第２の搬送波上でダウンリンク放送信号を受信するように動作する。ステップ１１１６で、無線端末は、ステップ１１１４からの受信信号のコピーを格納するように動作する。ステップ１１１８で、無線端末は、受信信号を復号しようと試みる。復号に成功した場合、処理は、ステップ１１２０からステップ１１１４に戻り、第２の搬送波を使って次の信号を受信し、処理する。しかしながら、復号に成功しなかった場合、処理は、ステップ１１２０からステップ１１２２に進む。
【００３３】
ステップ１１２２で、無線端末は、ステップ１１０６とステップ１１１６で格納される信号など、第１と第２の基地局から第１と第２の搬送波を介して搬送されるのと同じ放送信号のユーザ情報を表す受信信号の格納コピーを合成するように動作する。処理は、ステップ１１２２からステップ１１２４に進む。ステップ１１２４で、無線端末は、合成受信信号を復号しようと試みるように動作する。ステップ１１２６で、無線端末は、第１と第２の搬送波を指定するように動作する。処理は、ステップ１１２６からステップ１１０４に進み、次のダウンリンク放送信号を受信し、処理する。
【００３４】
いくつかの実施形態では、３つ以上のセルの端に位置する移動ノードなどの移動ノードが、それぞれビデオビットなどの同じデジタル放送情報を搬送する、異なる基地局のそれぞれと関連付けられる異なる搬送波間をホッピングしてもよく、３つの異なる基地局からの同じセグメントは、個々の無線端末が、３つの基地局からの信号を受信し、処理するのを容易にするのに十分な時間的隔たりを置いて異なる時刻に送信される。いくつかの実施形態では、３つの基地局からの信号は、１つまたは２つの基地局からの信号だけを使った別の方法では回復され得なかったはずの情報を回復するように、格納され、合成され得る。
【００３５】
いくつかの実施形態では、３つ以上のセルの端に位置する移動ノードが、異なる基地局と関連付けられる異なる搬送波間をホッピングしてもよく、個々の基地局は、同じデジタル放送ビデオ情報ビットを搬送し、異なる基地局からの同じセグメントは、個々の無線端末が、異なる基地局からの信号を受信し、処理するのを容易にするのに十分な時間的隔たりを置いて異なる時刻に送信される。いくつかの実施形態では、３つ以上の基地局からの信号が、１つまたは２つの基地局からの信号だけを使った別の方法では回復され得なかったはずの情報を回復するように、格納され、合成され得る。
【００３６】
いくつかの実施形態では、ダウンリンクセグメントとして送信されるべき情報が、ＷＴのバッファ容量と、搬送波を切り換えるのに必要な時間とを考慮に入れて、異なる搬送波上にパックされ、送信される。例えば、同じ情報が、ＷＴに搬送波を切り換えさせ、情報を受信させるのに十分なシンボル送信時間間隔を置くと同時に、情報送信の間の時間差がＷＴのバッファ容量内に留まるように送信される。このようにして、映画や他のビデオ番組といった受信番組の復号と提示、例えば表示などに際してのむだ時間を除去し、低減し、かつ／または最小限に抑えることができる。いくつかの実施形態では、割り当てチャネルが、無線端末に、個々の番組または放送に対応する情報を受信するためにいつ搬送波を切り換えるべきか知らせる、テレビガイドのように機能する。
【００３７】
いくつかの実施形態では、ダウンリンクビデオ放送は、１つまたは複数のテレビチャネルのように機能する。いくつかの実施形態では、システムにビデオオンデマンド機能が組み込まれる。例えば、無線端末は、ＷＴからＢＳに送信されるアップリンク信号などを介して、ネットワークにどんな放送を見たいか知らせる。
【００３８】
様々な実施形態によれば、ＢＳ間の厳密な同期は必要とされず、粗いレベルの同期で十分であり、例えば、多くの場合、ＷＴに、ＷＴのバッファ容量によってサポートされる時間窓内に異なるＢＳから情報を受信させるのに十分なタイミング同期で事足りる。無線端末は、単一のＲＦ受信チェーンを使って実施され得る。しかしながら、ＷＴに一度に２つの搬送波から情報を受信させる複数の受信チェーンを備えるＷＴも、単一受信チェーンのＷＴと競合することなく使用され得る。無線端末は、様々な実施形態によれば、異なる基地局からの、同じ情報を搬送する異なる搬送波を使った信号を受信し得る。異なる基地局は、必要に応じて、ＷＴが、複数の基地局から同じ情報を切り換えて受信することができるように、同等の情報コンテンツを有する情報セグメントの送信に、意図的に時間オフセットを持たせる。
【００３９】
図１２に、ＢＳＡ１２０２を含む複数の基地局と、移動ノードＭＮ１  １２１０、ＭＮ２  １２１２、ＭＮ３  １２１４などの無線端末を含む例示的システム１２００を示す。異なる強度レベルの複数の搬送波を使用する基地局が、異なる搬送波のそれぞれで、ビデオなど、異なる放送情報を搬送し得る。表１２１６には、例示的基地局１２０２について、搬送波１が低品質ビデオに対応し、搬送波２が中品質ビデオに対応し、搬送波３が高品質ビデオに対応することが示されている。例示的基地局Ａ１２０２は、それぞれ円（１２０４、１２０６、１２０８）で示される、（高、中、低）電力レベルの３つの搬送波（Ｃ１、Ｃ２、Ｃ３）を使ったダウンリンク信号をサポートする。例えば、Ｃ１などの最も強い搬送波を使って、最低品質または最低解像度の情報ビットが搬送される。したがって、システム内の各ＷＴ（ＭＮ１  １２１０、ＭＮ２  １２１２、ＭＮ３  １２１４）は、低品質ビデオを受信することができる。搬送波２は、搬送波１信号から抽出される情報ビットと合成されると、ユーザに中品質ビデオ信号を表示させることを可能にする情報ビットを搬送し得る。よって、搬送波２は、拡張レイヤビデオ信号と呼ばれるものを伝達し得る。代替として、搬送波２は、単独で使用されると、中品質ビデオを提供する情報ビットを伝達してもよい。この例では、ＭＮ２  １２１２とＭＮ３  １２１４が、搬送波２信号を受信し得る。ＭＮ２  １２１２は、中品質ビデオ画像を表示し得る。搬送波３は、搬送波１信号および搬送波２信号から抽出される情報ビットと合成されると、ユーザに高品質ビデオ信号を表示させることを可能にする情報ビットを伝達し得る。代替として、搬送波３は、単独で使用されると高品質ビデオを提供する情報ビットを搬送してもよい。この例では、ＭＮ３  １２１４が、搬送波３信号を受信し得る。ＭＮ３  １２１４は、高品質ビデオ画像を表示し得る。よって、受け取られる画像の品質は、モバイルがどれほど基地局に近いかの関数とすることができる。
【００４０】
いくつかの実施形態では、基地局は、場所特有の情報を送信することができる。例えば、ＢＳは、特定の送信電力レベルに対応するリングなど、各放送領域ごとに場所特有の情報を送信することができる。このため、図１２の実施形態では、ＢＳ１２０２は、各リング内のレストラン、店舗または他の企業に関する情報を、このリングに対応する特定の搬送周波数を使って送信してもよく、いくつかの実装形態では、送信する。例えば、ＢＳ１２０２は、搬送波Ｃ３上の最も内側のリング内のレストラン、搬送波Ｃ２上の中間リング内のレストラン、および搬送波Ｃ１上の最も外側のリング内のレストランの場所を送信する。最も内側のリング内のモバイルは、例えば、搬送波Ｃ３上で伝達される情報を復号し、したがって、これのリング内のレストランを発見することができる。
【００４１】
基地局のすぐ近くに位置するモバイルは、最弱の搬送波上で送信される情報を受信することもできるが、基地局から遠く離れたモバイルは、信号を受信し、かつ／または復号することができないこともある。いくつかの実施形態では、復号に失敗すると、別の搬送波へのホッピングが決定され得る。また、異なる搬送波へのホッピングは、モバイルが、より上質の解像度の情報を受信しようと決定した場合にも行われ得る。場所特有の情報は、搬送波を最弱から最強のものまで等級分けすることができる。
【００４２】
いくつかの実施形態では、ＢＳは、より高品質の解像度の情報をいつ送信すべきか、および送信すべきかどうか選択することができる。
【００４３】
これらの方法および装置は、トーン間隔の短縮を必要とせず、システムにおいて必要とされ得る長いシステムにおいて必要とされ得る長いサイクリックプレフィックスを必要とすることもなく使用することができる。
【００４４】
図１３に、基地局の例１３００を示す。基地局１３００は、図６、図９または図１２に示す基地局の１つなどとして使用され得る。基地局１３００は、アンテナ２０３、２０５と受信側と送信側の回路２０２、２０４とを含む。送信側回路は、Ｃ１、Ｃ２、Ｃ３など、複数の異なる搬送周波数をサポートする。受信側回路２０２は復号器２３３を含み、送信側回路２０４は、符号器／パケタイザ２３５を含む。ビデオオンデマンドを求める要求が、受信側回路２０２を介して無線端末から受け取られ得る。回路２０２、２０４は、バス２３０によって、入出力インターフェース２０８と、プロセッサ（ＣＰＵなど）２０６と、メモリ２１０に結合されている。入出力インターフェース２０８は、基地局１３００を、インターネット、および／または、基地局が粗いサイクリックプレフィックスのタイミング同期を維持し得る、隣接する基地局など他のノードに結合する。前述のように、基地局間のタイミング同期は、サイクリックプレフィックスの期間のレベルである必要はなく、しばしば、そうでないことがあり、多くの場合、基地局は、サイクリックプレフィックスの期間、あるいはいくつかのＯＦＤＭシンボル送信期間にさえも同期されない。同期は、数分の１秒単位で測定され、場合によっては、隣接する基地局は、１秒にさえも同期されない。メモリ２１０は、プロセッサ２０６によって実行されると、基地局１３００を、様々な実施形態に従って動作するように制御するルーチンを含む。メモリは、基地局１３００を、複数の搬送周波数上で、ビデオ番組、ラジオ番組、マルチキャスト情報などの情報を送信することを含む、様々な通信操作を行うよう制御するのに使用される通信ルーチン２２３を含む。また、メモリ２１０は、基地局１３００を、方法ステップを実施するよう制御するのに使用される基地局制御ルーチン２２５も含む。基地局制御ルーチン２２５は、送信スケジューリングおよび／または通信リソース割り振りを制御し、情報の送信を、同じ情報の近隣の基地局による送信とおおざっぱに整合させ、ただし、同じ情報が、異なる基地局から、意図的に異なる時刻に送信されるようにスケジュールするのに使用されるスケジューリングモジュール２２６を含む。よって、モジュール２２６は、スケジューラとして機能し得る。また、メモリ２１０は、通信ルーチン２２３と、制御ルーチン２２５によって使用される情報も含む。情報２１２は、送信されるべき、ビデオ番組や音声番組など番組ごとの番組エントリ２１３、２１３’を含む。このエントリは、送信されるべきビデオデータなどの番組情報と、任意選択で、番組が送信されるべき日時などの時刻に関する情報を含み得る。
【００４５】
図１４に、移動ノードなどの無線端末の例１４００を示す。移動ノード１４００は、移動端末（ＭＴ）として使用され、基地局から受け取られる番組および／またはマルチキャスト情報を受信し、復号し、出力することができる。無線端末１４００は、様々な要素がデータと情報を交換するためのバス３０９を介して相互に結合されている、受信モジュール３０２と、送信モジュール３０４、プロセッサ３０６と、ディスプレイ３０７と、オーディオ出力装置３０８と、メモリ３１０を含む。番組は、例えば、テレビ番組や音声番組などとすることができる。移動ノード１４００は、それぞれ、受信側回路３０２と送信側回路３０４に結合されている受信側アンテナ３０３と送信側アンテナ３０５を含む。受信側回路３０２は復号器３３３を含み、送信側回路３０４は符号器／パケタイザ３３５を含む。プロセッサ３０６は、メモリ３１０に格納された１つまたは複数のルーチンの制御下で、移動ノード１４００を動作させる。これには、例えば、異なる搬送波上で番組情報を受信すること、搬送波を切り換えること、異なる搬送周波数から受け取られる番組情報を合成すること、復号番組情報を表示し、または別の方法で出力することなどが含まれる。移動ノード１４００の動作を制御するために、メモリ３１０は、通信ルーチン３２３と、移動ノード制御ルーチン３２５を含む。移動ノード制御ルーチン３２５は、移動ノード１４００の動作を制御する役割を果たす。また、メモリ３１０は、方法および／またはデータ構造を実施するためにアクセスされ、使用され得るユーザ／装置／セッション／リソース情報３１２も含む。また、メモリ３１０は、受信番組情報を格納するのに使用される受信番組バッファ３２７と、ＭＰＥＧ−４ビデオ信号などの受信圧縮ビデオ情報を復号するビデオデコーダ３２９と、受信圧縮オーディオ信号を復号するオーディオデコーダ３３１と、受信復号番組の表示および／またはオーディオ出力を制御するのに使用される番組再生ルーチン３３３も含む。
【００４６】
図１５は、基地局の例１５００を示す図である。例示的ＢＳ１５００は、図６、９、または１２の例示的基地局のいずれでもよい。例示的基地局１５００は、様々な要素がデータと情報を交換し合うためのバス１５１４を介して相互に結合されている、受信機１５０２と、送信機１５０４と、プロセッサ１５０６と、クロックモジュール１５０８と、入出力インターフェース１５１０と、メモリ１５１２を含む。いくつかの実施形態では、基地局１５００は、複数のセクタをサポートするセクタ化基地局であり、ＢＳ１５００は、各セクタに対応する別々の送信機／受信機対など、追加の送信機および／または受信機を含む。例えば、ＢＳ１５００のＭセクタ実施形態では、受信機１５０２と送信機１５０４はセクタ１に対応し、受信機１５１６と送信機１５１８はセクタＭに対応する。また、受信機１５１６と送信機１５１８も、バス１５１４に結合されていてもよい。セクタは、それぞれ、複数の搬送波をサポートし得る。例えば、いくつかの実施形態では、各セクタが、３つの異なるダウンリンク搬送波を使って同時送信をサポートし、３つのダウンリンク搬送波は、それぞれ、オーバーラップしないトーンブロックと関連付けられる。
【００４７】
セクタ１と関連付けられる、マルチキャリヤ受信機などの受信機１５０２は、無線端末からアップリンク信号を受信するための受信アンテナ１５２０に結合されている。受信機１５０２は、受信アップリンク信号を復号する復号器１５２２を含む。セクタＭと関連付けられる、マルチキャリヤ受信機などの受信機１５１６は、無線端末からアップリンク信号を受信するための受信アンテナ１５２４に結合されている。受信機１５１６は、受信アップリンク信号を復号する復号器１５２６を含む。
【００４８】
セクタ１と関連付けられる、マルチキャリヤ送信機などの送信機１５０４は、無線端末に、放送信号などを含むダウンリンク信号を送信するための送信アンテナ１５２８に結合されている。送信機１５０４は、送信前にダウンリンクデータ／情報を符号化する符号器１５３０を含む。セクタＭと関連付けられている、マルチキャリヤ送信機などの送信機１５１８は、無線端末に、放送信号などを含むダウンリンク信号を送信するための送信アンテナ１５３２に結合されている。送信機１５１８は、送信前にダウンリンクデータ／情報を符号化する符号器１５３４を含む。
【００４９】
メモリ１５１２は、ルーチン１５３６と、データ／情報１５３８を含む。ＣＰＵなどのプロセッサ１５０６は、ルーチン１５３６を実行し、データ／情報１５３８を使って、基地局１５００の動作を制御し、方法を実施する。入出力インターフェース１５１０は、ＢＳ１５００を、他のネットワークノード、例えば、他の基地局、ルータ、ＡＡＡサーバ、コンテンツ提供サーバなど、および／またはインターネットに結合する。入出力インターフェース１５１０は、基地局１５００を、バックホールネットワークに結合し、基地局１５００を、この基地局のセルラカバー領域外の他のノードおよび／または情報源とのネットワーク接続点として使用するＷＴに、接続を提供する。いくつかの実施形態では、サービス提供ノードが、入出力インターフェース１５１０を介してＢＳ１５００に、デジタルビデオ放送ストリームを表す情報などの情報の番組を送り、この番組は、隣接する基地局など複数の基地局によって、セグメント単位で放送される。
【００５０】
ルーチン１５３６は、通信ルーチン１５４０と、基地局制御ルーチン１５４２を含む。通信ルーチン１５４０は、ＢＳ１５００によって使用される様々な通信プロトコルを実施する。基地局制御ルーチン１５４２は、スケジューラモジュール１５４４と、搬送波／セクタ電力レベル制御モジュール１５４６と、番組セグメントタイミング送信制御モジュール１５４８と、タイミング同期モジュール１５５０を含む。
【００５１】
スケジューラモジュール１５４４は、ＷＴユーザを、アップリンクとダウンリンクの通信セグメントにスケジュールする。通信チャネルセグメントの一部は、１人または複数のユーザにスケジュールされるトラフィックチャネルセグメントとすることができる。ダウンリンク通信セグメントの一部は、情報の番組を含む放送セグメントとすることができる。いくつかの実施形態では、放送番組の少なくとも一部は、カバーエリア内の任意の加入無線端末ユーザに提供され得る。いくつかの実施形態では、放送番組の少なくとも一部は、暗号化と鍵の選択的配信などにより、カバーエリア内の加入無線端末ユーザの選択グループ、例えば、特定のマルチキャストグループなどに提供され得る。スケジューラモジュール１５４４は、番組セグメント／搬送波／セクタ／通信セグメント調整モジュール１５５２を含む。放送されるべき各番組は、少なくとも１つの搬送周波数および１つのセクタと関連付けられる。ダウンリンクを介して放送されるべき各番組は、複数の番組セグメントに細分されてもよく、モジュール１５５２は、各番組セグメントを、１つまたは複数の搬送周波数、１つまたは複数のセクタ、およびダウンリンクタイミング周波数構造内の１つまたは複数の通信セグメントと関連付けてもよい。いくつかの実施形態では、１つの番組セグメントが、所与のセクタと所与の搬送周波数について、複数の通信セグメントを使って伝達される。番組情報のブロック符号化などの符号化が、番組セグメントごとに、かつ／または通信セグメントごとに行われてもよい。
【００５２】
搬送波／セクタ電力レベル制御モジュール１５４６は、送信機（１５０４、１５１８）によってサポートされる搬送波のそれぞれと関連付けられる送信機（１５０４、１５１８）のダウンリンク送信電力レベルを制御する。いくつかの実施形態では、ＢＳ１５００のセクタの少なくとも一部が複数の電力レベルをサポートし、例えば、３つの搬送波と３つの電力レベルなど、セクタによってサポートされる異なる各搬送周波数ごとに異なる電力レベルが関連付けられる。同じセルまたは異なるセルの、同じ搬送波を使用する隣接するセクタは、同じ搬送波と関連付けられる異なる電力レベルを有し得る。
【００５３】
番組セグメントタイミング送信制御モジュール１５４８は、ＢＳ１５００の動作を、放送番組のセグメントが、複数の隣接する基地局間で構築される調整されたタイミングシーケンス全体におけるタイミングシーケンスを維持し、例えば、潜在的に同じＭＮによって異なる時刻などに受け取られる、２つの隣接する基地局によって送信される番組に対応するセグメントシーケンスにおけるオフセットを維持するように制御する。
【００５４】
タイミング同期モジュール１５５０は、クロックモジュール１５０８と協調して、ＢＳ１５００のタイミング同期を維持するように動作する。タイミング同期モジュール１５５０は、基地局／基地局粗同期モジュール１５５４とＢＳ同期モジュール１５５６を含む。ＢＳ／ＢＳ粗同期モジュール１５５４は、隣接する基地局間のおおよその同期を、例えば、２、３、１０以上など複数のＯＦＤＭシンボル送信時間間隔内などに安定して維持するように動作する。いくつかの実施形態では、隣接する基地局からの同じ番組セグメント放送が、単一のＲＦ受信段を有するＷＴが、異なる搬送周波数を使った、同じセグメントの両送信を切り換え、受信することができるように、意図的にずらされる。ＢＳ／ＢＳ粗同期モジュール１５５４は、例えば番組セグメント送信などに関する基地局間の許容度を、複数の隣接する基地局からの放送信号を利用する方法が用いられるように維持する。基地局同期モジュール１５５６は、ＯＦＤＭシンボルが、同じセクタ内の異なる搬送波に対して、かつ／またはＢＳ１５００の異なるセクタに対して調整されるように、基地局の様々なセクタの信号間において、例えば、ＯＦＤＭシンボル送信時間間隔未満など高度の同期を維持する。
【００５５】
データ／情報１５３８は、システム（ＯＦＤＭシステムなど）タイミング／周波数構造情報１５５８と、基地局／セクタ識別情報１５６０と、無線端末情報１５６２と、ユーザ／装置／セッション／リソース情報１５６４と、番組セグメントタイミング情報１５６６と、ＢＳ１５００によってダウンリンク信号の放送に使用され得る接続点に関する各搬送波／セクタの組み合わせに対応する複数の情報セット（搬送波１セクタ１データ／情報１５６８、搬送波ＮセクタＭデータ／情報１５７０）を含む。いくつかの実施形態では、１つまたは複数の多重解像度ビデオ番組情報のセット（多重運解像度ビデオ番組１  １５７２、・・・、多重解像度ビデオ番組Ｎ  １５７４）が含まれる。いくつかの実施形態では、複数の地理ベースの番組情報のセット１５７６が含まれる。
【００５６】
システムタイミング／周波数構造情報１５５８は、例えば、アップリンクとダウンリンクの通信セグメント構造、アップリンクとダウンリンクの搬送周波数、帯域幅、トーンブロック、トーン間間隔、セクタ情報、アップリンクとダウンリンクのトーンホッピングシーケンス、ＯＦＤＭシンボル送信時間間隔、ＯＦＤＭシンボル送信時間間隔のスロット、スーパースロット、ビーコンスロット、ウルトラスロットなどへのグループ化、ＢＳの異なるセクタに関するタイミング制御許容度情報、隣接する基地局など異なる基地局に関するタイミング制御許容度情報などを含む。基地局／セクタ識別情報１５６０は、基地局識別子および／またはセクタ識別子を含む。いくつかの実施形態では、ＢＳ／セクタＩＤ情報１５６０が、周期的に放送されるビーコンおよび／またはパイロット信号を使って、ダウンリンクを介してＷＴに搬送される。無線端末の情報１５６２は、セクタ／搬送周波数組み合わせなど、基地局ネットワーク接続点の１つに登録しているＷＴに関連する情報を含む。ＷＴの情報１５６２は、例えば、通信セッションの一部などとして、ＢＳ１５００にアップリンク信号を送信しようとするＷＴに、ＢＳ１５００によって一時的に割り当てられるものなど、ＷＴアクティブユーザＩＤを含み得る。いくつかの実施形態では、ダウンリンク放送番組などのダウンリンク放送信号を受信するＷＴの少なくとも一部は、基地局に対して、ＷＴ自体を識別し、アクティブユーザＩＤを獲得する必要がなく、これを行わない。例えば、ＷＴの少なくとも一部は、ＢＳ１５００の関連のサービス提供者と、いくつかのダウンリンク放送番組を受信する契約をしており、所与の時間間隔にわたって有効な復号情報を提供されており、この場合、ダウンリンク放送番組を受信し、復号することができる。いくつかの実施形態では、ＷＴの少なくとも一部は、ダウンリンク放送番組情報を受信するに先立ち、一時的に有効な復号および／またはスクランブル解除情報を受信するために、かつ／または請求書送付など課金のために、ＢＳ１５００に登録する必要がある。番組セグメントタイミング情報１５６６は、基地局によって放送されるべき番組セグメントのそれぞれの送信時刻を決定するのに使用される情報を含む。例えば、２つの隣接する基地局は、同じ番組セグメントを放送し得るが、システム内の異なるＢＳ１５００のための放送のタイミングは、意図的にずらされる。また、番組セグメントタイミング情報１５６６は、各番組セグメントを、基地局のダウンリンクタイミング／周波数構造内の１つまたは複数の通信セグメントと関連付ける情報も含む。
【００５７】
番組１  １５７８は、複数のセグメント（セグメント１  １５５１、セグメントＮ  １５５３）を含み、番組Ｎ  １５８０も、複数のセグメント（セグメント１  １５５５、セグメントＮ  １５５７）を含む。
【００５８】
搬送波１セクタ１データ／情報１５６８は、使用されるダウンリンク搬送周波数などの周波数情報１５８６と、搬送周波数と関連付けられるトーンのセットなどのトーンブロック情報１５８７と、搬送波およびセクタと関連付けられる、高、低、または中間の電力レベルなどの電力レベル情報１５８８と、１つまたは複数の番組のどれが、１５８６によって識別される搬送波を使ってセクタ送信機によって放送されるべきか識別する情報などの番組関連付け情報１５８９と、符号化速度、変調方式、および送信される番組セグメント間の時間間隔の関数である、番組情報の情報ビットデータ転送速度などのデータ転送速度１５９０と、放送番組が届くことが期待される、セクタおよび搬送波と関連付けられる物理的カバーエリアを識別する情報などの地理的カバーエリア情報１５９１と、いくつかの実施形態では、多重レベル解像度ビデオを含む実施形態における、搬送波とセクタを、ビデオ機能の高、低、または中間レベルと関連付ける情報などの解像度レベル情報１５９２とを含む。
【００５９】
多重レベル解像度ビデオ番組１  １５７２は、番組１に対応する、複数の異なる解像度のビデオ情報セグメントのセット（（高解像度セグメント１  １５９３、・・・、高解像度セグメントＮ１５９４）、（中解像度セグメント１  １５９５、・・・、中解像度セグメントＮ１５９６）、（低解像度セグメント  １５９７、・・・、低解像度セグメントＮ１５９８））を含む。多重レベルビデオ番組Ｎ１５７４は、番組Ｎに対応する、複数の異なる解像度のビデオ情報セグメントのセット（（高解像度セグメント１  １５９９、・・・、高解像度セグメントＮ  １５０１）、（中解像度セグメント１  １５０３、・・・、中解像度セグメントＮ  １５０５）、（低解像度セグメント１  １５０７、・・・、低解像度セグメントＮ  １５０９））を含む。
【００６０】
地理ベースの番組情報１５７６は、複数の地域特有のセグメントのセット（（地域１セグメント１  １５１１、・・・、地域１セグメントＮ１５１３）、・・・、（地域Ｎセグメント１  １５１５、・・・、地域ＮセグメントＮ１５１７））である。特定の地域の異なる番組セグメントのセットは、地域内のレストラン、劇場、店舗、駐車場、緊急施設等の場所など、この地理的領域に適応するようにカスタマイズされ得る。いくつかの実施形態では、ある地域の地理ベースの番組セットの少なくとも一部は、この地域に関連する広告を含む。いくつかの実施形態では、地理ベースの番組は、例えば、レストランを探そうとしている無線端末ユーザなどへのサービスとして提供され得る。いくつかの実施形態では、地理ベースの番組は、番組セット、例えば、番組セット１  １５６８などと相互に混合され、映画、ショー、インターネット放送などのビデオストリームを提供し、地理ベースの情報、例えば、（地域１セグメント１  １５１１、地域１  セグメントＮ）などが、ＷＴユーザに向けられる商業広告の少なくとも一部として織り交ぜられる。
【００６１】
図１６に、移動ノードなどの無線端末の例１６００を示す。例示的ＷＴ１６００は、図６、９または１２の例示的システムで使用される例示的ＷＴのいずれかとすることができる。無線端末１６００は、基地局から受け取られる番組および／またはマルチキャスト情報を受信し、復号し、出力することができる。番組は、テレビ番組や音声番組などとすることができる。移動ノードなどの無線端末１６００は、それぞれ、受信モジュール１６０２と送信モジュール１６０４に結合されている、受信アンテナ１６０３と送信アンテナ１６０５を含む。受信モジュール１６０２は復号器１６３３を含み、送信モジュール１６０４は符号器１６３５を含む。また、無線端末１６００は、プロセッサ１６０６と、ユーザ入出力装置１６０８と、メモリ１６１０も含む。
【００６２】
ユーザ入出力装置１６０８には、キーパッド、キーボード、タッチスクリーン、ビデオカメラ、マイクロホンなどといったユーザ入力装置１６０１と、ＬＣＤディスプレイ、ＬＥＤ、表示灯、ＣＲＴ、フラットディスプレイ、画像投影装置、ビデオ出力フィードライン／インターフェースなどといったディスプレイ１６０７、スピーカ、警報、オーディオ出力フィードライン／インターフェースなどといったオーディオ出力装置１６０９が含まれる。様々な要素１６０２、１６０４、１６０６、１６０８、および１６１０は、様々な要素が相互にデータ／情報を交換し合うためのバス１６０５を介して相互に結合されている。ＣＰＵなどのプロセッサ１６０６は、メモリ１６１０に格納された１つまたは複数のルーチンの制御下で、移動ノードなどの無線端末１６００を動作させる。これには、例えば、異なる搬送波上で番組情報を受信すること、搬送波を切り換えること、異なる搬送周波数から受け取られる番組情報を合成すること、復号番組情報を表示し、または別の方法で出力することなどが含まれる。移動ノードなどの無線端末１６００の動作を制御するために、動作メモリ１６１０は、ＷＴ１６００によって使用される通信プロトコルを実施する通信ルーチン１６２３と、無線端末制御ルーチン１６２５を含む。
【００６３】
無線端末制御ルーチン１６２５は、移動ノードなどの無線端末１６００が、無線端末動作に関連して述べる各ステップを確実に処理し、実行するようにする役割を果たす。また、メモリ１６１０は、方法および／またはデータ構造を実施するためにアクセスされ、使用され得るユーザ／装置／セッション／リソース情報１６２７も含む。
【００６４】
無線端末制御ルーチン１６２５は、受信機制御モジュール１６２９と、送信機制御モジュール１６３１と、入出力装置制御モジュール１６３３と、搬送波信号監視／評価モジュール１６３５と、搬送波切り換えモジュール１６３７と、セグメント合成モジュール１６３９と、受信番組復号モジュール１６４１と、番組再生モジュール１６４３を含む。受信番組復号モジュール１６４１は、オーディオ復号モジュール１６４５と、ビデオ復号モジュール１６４７と、復号評価モジュール１６４９を含む。ビデオ復号モジュール１６４７は、いくつかの実施形態では、多重レベル解像度モジュール１６５１を含む。受信機制御モジュール１６０２は、モジュール１６３５、１６３７、１６３９および／または１６４１など他のモジュールと連動して動作し、セグメントとして伝達される情報の番組を含むダウンリンク放送信号などを含む、ＢＳからのダウンリンク信号を受信し、処理するように受信機１６０２と復号器１６３３の動作を制御する。送信機制御モジュール１６３１は、ＢＳへのアップリンク信号に関連して、送信機１６０４と符号器１６３５の動作を制御する。入出力装置制御モジュール１６３３は、ユーザ入出力装置１６０８の動作を制御し、番組再生モジュール１６４３と連動して動作し得る。搬送波信号監視／評価モジュール１６３５は、ビーコン強度レベル、干渉レベル、復号成功率等を測定するなど、受信搬送波信号の強度および／または品質を監視し得る。搬送波切り換えモジュール１６３７は、搬送波信号監視／評価モジュール１６３５からの結果、および／または番組セグメントタイミング情報を使って、１つまたは複数の基地局からの番組セグメントを受信するために、いつ搬送波を切り換えるべきか、および搬送波を切り換えるべきかどうかを決定する。セグメント合成モジュール１６３９は、情報を回復するために、同じ情報内容の少なくとも一部を搬送する、２つの異なる搬送周波数を使用する２つの異なる隣接する基地局からの対応するセグメントなどのセグメントを合成する。また、セグメント合成モジュール１６３９は、例えば、より高度のビデオレベルを達成するなどのために、異なる、徐々に増分する情報量を搬送する異なるセグメントを合成してもよい。また、セグメント合成モジュール１６３９は、１つの番組に対応する、受け取られ、正常に復号された複数のセグメントを、情報１６５７などの、合成番組セグメント情報セットに合成してもよい。
【００６５】
ビデオ復号モジュール１６４７はビデオの復号を制御し、オーディオ復号モジュール１６４５は音声の復号を制御する。多重レベル解像度モジュール１６５１は、実施されると、多重レベルビデオの選択、復号、合成、処理などに関連する動作を制御する。復号評価モジュール１６４９は、基地局からの単一の番組セグメントの復号や、結合セグメントの合成復号などの復号に成功したかどうか判定する。いくつかの実施形態では、復号評価モジュール１６４９の結果は、別の基地局からの別の搬送波への切り換え、隣接する基地局からの対応するセグメントの回復の試み、および／または、単一のセグメントが正常に回復され得なかった場合に回復を試みるための複数の対応するセグメントの合成をトリガするのに使用される。
【００６６】
メモリ１６１０に含まれるデータ／情報には、第１の搬送波に対応する受信番組バッファ１６５３、第１の搬送波に対応する処理済み（復号）番組バッファ１６５５、受信番組に対応する合成番組セグメント１６５７、現在選択されているダウンリンク搬送波情報１６５９、ストリーミングおよび／または再生のために選択された復号オーディオおよび／またはビデオ１６６１、現在のＢＳ／セクタＩＤ情報１６６５、システム（ＯＦＤＭシステムなど）タイミング／周波数構造情報１６６７、および番組のディレクトリ情報１６６９が含まれる。
【００６７】
いくつかの実施形態では、第Ｎの搬送波に対応する受信番組バッファ１６７１など、複数の受信番組バッファが含まれる。いくつかの実施形態では、複数の搬送波の情報の合成に対応する合成番組バッファ１６７３が含まれる。いくつかの実施形態では、第Ｎの搬送波に対応する処理済み（復号）番組バッファ１６７５など、複数の処理済み（復号）番組バッファが含まれる。いくつかの実施形態では、合成処理済み（復号）番組バッファ１６７７が含まれる。
【００６８】
基地局放送情報が特定の地理的領域に向けられている場合など、いくつかの実施形態では、レストラン、ホテルなど、地理ベースの受信情報１６７９が含まれる。複数レベルのビデオ放送をサポートするなど、いくつかの実施形態では、ビデオ解像度レベル情報１６８１が含まれる。ビデオレベル解像度情報１６８１は、現在のビデオレベル能力、現在受け取られている現在のビデオレベル、および表示されている現在のビデオレベルを識別する情報を含む。
【００６９】
受信番組バッファ（１６５３、１６７１、１６７３）は、受信番組情報を格納するのに使用される。ビデオ復号モジュール１６４７は、ＭＰＥＧ−４ビデオ信号などの受信圧縮ビデオ情報を復号するためのものであり、オーディオ復号モジュール１６４５は、受信圧縮オーディオ信号を復号するためのものである。番組再生モジュール１６４３は、受信復号番組の表示および／またはオーディオ出力を制御するのに使用される。
【００７０】
図１７は、システムの例１７００を示す図である。システム１７００は、複数の基地局（ＢＳＡ１７０２、ＢＳＢ１７０４）と、複数の移動ノード（ＭＮ１  １７１８、ＭＮ２  １７２０、ＭＮＮ１７２２）を含む。基地局（１７０２、１７０４）は、図１３または図１５の例示的ＢＳのいずれでもよく、ＭＮ（１７１８、１７２０、１７２２）は、図１４または図１６の例示的無線端末のいずれでもよい。ＢＳＡ１７０２とＢＳＢ１７０４は、それぞれ、異なる電力レベルの３つの搬送波をサポートし、各電力レベルの順序付けは、２つの隣接する基地局に関して異なる。図１７には、隣接する基地局の異なる搬送波と関連付けられる選択された電力レベルが、例えば、無線端末が、隣接する基地局からの信号を受信し、復号できると期待され得る場合などに、隣接する基地局からオーバーラップするカバー範囲を提供することが示されている。図１７に示すような、マルチキャリヤ、多重電力レベルの実施形態は、ダウンリンク放送の方法を実施するに際して有利である。
【００７１】
ＢＳＡ１７０２は、大きい円１７０６で表されるカバーエリアを有する高い送信電力レベルの搬送波Ｃ１を使用し、ＢＳＡ１７０２は、中間の円１７０８で表されるカバーエリアを有する中間の送信電力レベルの搬送波Ｃ２を使用し、ＢＳＡ１７０２は、小さい円１７１０で表されるカバーエリアを有する低い送信電力レベルの搬送波Ｃ３を使用する。ＢＳＢ１７０４は、大きい円１７１２で表されるカバーエリアを有する高い送信電力レベルの搬送波Ｃ３を使用し、ＢＳＢ１７０４は、中間の円１７１４で表されるカバーエリアを有する中間の送信電力レベルの搬送波Ｃ１を使用し、ＢＳＢ１７０４は、小さい円７１６で表されるカバーエリアを有する低い送信電力レベルの搬送波Ｃ２を使用する。例示的ＭＮ１  １７１８は、搬送波Ｃ１を使って送信されたＢＳＡ１７０２からの信号と、搬送波Ｃ３を使って送信されたＢＳＢ１７０４からの信号を受信し、回復することのできる可能性の高いカバー領域内にある。例示的ＭＮ２  １７２０は、搬送波Ｃ１を使って送信されたＢＳＡ１７０２からの信号と、搬送波Ｃ３、Ｃ１およびＣ２のいずれかを使って送信されたＢＳＢ１７０４からの信号を受信し、回復することができる可能性の高いカバー領域内にある。例示的ＭＮＮ  １７２２は、搬送波Ｃ１とＣ２のいずれかを使って送信されたＢＳＡ１７０２からの信号と、搬送波Ｃ３とＣ１のいずれかを使って送信されたＢＳＢ１７０４からの信号を受信し、回復することができる可能性の高いカバー領域内にある。
【００７２】
いくつかの実施形態では、番組セグメントなどのセグメントは、異なる時刻に２つの基地局によって送信される同じ情報を搬送する。いくつかの実施形態では、情報（Ａ０、Ａ１）を搬送するセグメントＡがある基地局によって送信され、情報（Ａ０、Ａ２）を搬送するセグメントＢが、隣接する基地局など、別の基地局によって送信される。この例示的実施形態では、セグメントＡとＢによって搬送される情報は、完全に同一ではない。しかしながら、２つのセグメントにおいて、同じ情報セット、この場合にはＡ０が繰り返されることが重要である。
【００７３】
いくつかの実施形態では、搬送波Ｃ１でセグメントを送信する、ＢＳＡなど第１の基地局と、搬送波Ｃ３でこのセグメントを送信する、ＢＳＢなど第２の基地局のタイミングオフセットは、例えば、搬送波Ｃ１とＣ３の相対的電力関係が固定されるなどのように、固定される。このように、移動ノードなどの無線端末は、セグメントを復号するのに、いつどの搬送波に切り換えるなどの転換を行うべきか知る。
【００７４】
図１８は、システムの例１８００を示す図である。システム１８００は、複数の基地局（第１の基地局１８０２、第２の基地局１８０４、第３の基地局１８０６）と、複数の移動ノード（ＭＮ１  １８０８、ＭＮ２  １８１０、ＭＮＮ  １８１２）を含む。基地局（１８０２、１８０４、１８０６）は、図１３または図１５の例示的ＢＳのいずれでもよく、ＭＮ（１８０８、１８１０、１８１２）は、図１４または図１６の例示的無線端末のいずれでもよい。基地局（１８０２、１８０４、１８０６）は、それぞれ、３つのセクタと、各セクタ内の３つの搬送波をサポートする。各セクタにおいて、３つの搬送波は、異なる電力レベルであり、各電力レベルの順序付けは、２つの隣接するセクタに関して異なる。電力レベルは、基地局を取り囲む円の相対的サイズで示されている。すなわち、所与のセクタ内の円部分の線のパターンが、対応する搬送波を示す。凡例１８３２には、点線１８３４を使って１．２５ＭＨｚの帯域幅を有する搬送波ｆ１を表し、点破線１８３６を使って１．２５ＭＨｚの帯域幅を有する搬送波ｆ２を表し、破線１８３８を使って１．２５ＭＨｚの帯域幅を有する搬送波ｆ３を表すことが示されている。隣接するセクタ間とセル間のオーバーラップ領域は、選択され、使用される、選択される周波数と電力レベルの関係に従って生じる。図１８に示すような、マルチキャリヤ、多重電力レベル、マルチセクタの実施形態は、ダウンリンク放送の方法を実施するに際して有利である。
【００７５】
第１の基地局１８０２は、セクタＡ１８１４、セクタＢ１８１６、セクタＣ１８１６をサポートする。第２の基地局１８０４は、セクタＡ１８２０、セクタＢ１８２２、セクタＣ１８２４をサポートする。第３の基地局１８０６は、セクタＡ１８２６、セクタＢ１８２８、セクタＣ１８３０をサポートする。
【００７６】
第１の基地局１８０２のセクタＡ１８１４では、搬送波（ｆ１、ｆ２、ｆ３）が、それぞれ、（高、中、低）送信電力レベルを使用する。第１の基地局１８０２のセクタＢ１８１６では、搬送波（ｆ２、ｆ３、ｆ１）が、それぞれ、（高、中、低）送信電力レベルを使用する。第１の基地局１８０２のセクタＣ１８１８では、搬送波（ｆ３、ｆ１、ｆ２）が、それぞれ、（高、中、低）送信電力レベルを使用する。
【００７７】
第２の基地局１８０４のセクタＡ１８２０では、搬送波（ｆ１、ｆ２、ｆ３）が、それぞれ、（高、中、低）送信電力レベルを使用する。第２の基地局１８０４のセクタＢ１８２２では、搬送波（ｆ２、ｆ３、ｆ１）が、それぞれ、（高、中、低）送信電力レベルを使用する。第２の基地局１８０４のセクタＣでは、搬送波（ｆ３、ｆ１、ｆ２）が、それぞれ、（高、中、低）送信電力レベルを使用する。
【００７８】
第３の基地局１８０６のセクタＡ１８２６では、搬送波（ｆ１、ｆ２、ｆ３）が、それぞれ、（高、中、低）送信電力レベルを使用する。第３の基地局１８０６のセクタＢ１８２８では、搬送波（ｆ２、ｆ３、ｆ１）が、それぞれ、（高、中、低）送信電力レベルを使用する。第３の基地局１８０６のセクタ１８３０では、搬送波（ｆ３、ｆ１、ｆ２）が、それぞれ、（高、中、低）送信電力レベルを使用する。
【００７９】
例示的ＭＮ１  １８０８は、搬送波ｆ３を使って送信された、第１の基地局のセクタＣ接続点からの信号を受信し、回復することができる可能性の高い領域内に位置する。例示的ＭＮ１  １８０８は、搬送波ｆ１を使って送信された、第３の基地局のセクタＡ接続点からの信号を受信し、回復することができる可能性の高い領域内に位置する。
【００８０】
例示的ＭＮ２  １８１０は、搬送波ｆ２を使って送信された、第２の基地局のセクタＢ接続点からと、搬送波ｆ３を使って送信された、第２の基地局のセクタＣの接続点からの信号を受信し、回復することができる可能性の高い領域内に位置する。例示的ＭＮ２  １８１０は、搬送波ｆ１を使って送信された、第３の基地局のセクタＡ接続点からの信号を受信し、回復することができる可能性の高い領域内に位置する。
【００８１】
例示的ＭＮＮ  １８１２は、搬送波ｆ３を使って送信された第１の基地局のセクタＣ接続点からの信号を受信し、回復することのできる可能性の高い領域内に位置する。例示的ＭＮＮ  １８１２は、搬送波ｆ２を使って送信された第２の基地局のセクタＢ接続点からの信号を受信し、回復することのできる可能性の高い領域内に位置する。
【００８２】
図１９は、通信方法の例を示す流れ図１９００である。処理は、ステップ１９０２から開始し、ここで、第１と第２の基地局送信機を含むシステム内の１つまたは複数の基地局が電源投入され、初期設定される。例示的システムは、例えば、ダウンリンクＯＦＤＭ信号を放送することのできる複数の基地局送信機と、ＯＦＤＭ信号を受信し、処理することのできる複数の無線端末を含むスペクトル拡散ＯＦＤＭ無線通信システムなどとすることができる。第１と第２の基地局送信機は、２つの基地局送信機間に粗いレベルのタイミング同期が生じるようにタイミング制御され得るが、２つの基地局間で高レベルのタイミング同期を達成し、これを維持するようにタイミング制御される必要はない。例えば、第１と第２の基地局送信機がＯＦＤＭ信号を使用し、第１と第２の基地局送信機が異なるセルに対応する場合、第１と第２の基地局送信機の間のタイミング同期は、サイクリックプレフィックス期間内になるようには制御されない。ステップ１９０２で、通信番組が、第１と第２の基地局送信機を含む１つまたは複数の基地局に、この番組がコンテンツ提供者のサーバノードから発信されるバックホールネットワークなどを介して伝達され得る。バックホールネットワークは、光ファイバケーブルや、マイクロ波リンクなどといった、有線および／または無線リンクを含み得る。代替として、ステップ１９０２で、番組の最初の部分が第１と第２の基地局送信機を含む１つまたは複数の基地局に提供され、追加部分が、後で、例えば、第１と第２の基地局送信機が、以前に受信した部分を、移動ノードなどの無線端末による受信のために提供されるダウンリンク無線チャネルを介して放送している最中などに提供されてもよい。
【００８３】
処理は、開始ステップ１９０２からステップ１９０４と１９０６に進む。ステップ１９０４で、第１の基地局送信機は、第１の番組に対応する番組セグメントを送信するように動作する。ステップ１９０６で、第１の基地局送信機に隣接して位置する第２の基地局送信機は、第１の基地局送信機と同じ第１の番組の番組セグメントを、同じ情報内容を有するセグメントが、第１と第２の基地局送信機によって、異なる時刻に送信されるよう送信するように動作する。
【００８４】
いくつかの実施形態では、第１と第２の基地局送信機は、隣接する単一セクタのセル内に位置する。別の実施形態では、第１と第２の基地局送信機は、隣接するセクタ内に位置するセクタ送信機であり、この通信方法は、マルチセクタセルを有するシステムで使用され、隣接するセクタは、同じセルのセクタ、または隣接するマルチセクタセルのセクタである。
【００８５】
様々な実施形態において、第１の基地局送信機は、第１の搬送波を使って第１の番組に対応する番組セグメントを送信し、第２の基地局送信機は、第１の搬送波と異なる周波数を有する第２の搬送波を使って、第１の番組に対応する番組セグメントを送信する。いくつかのかかる実施形態では、第１の番組に対応する、第１の基地局送信機によって送信される番組セグメントは、第１の送信電力レベルで送信され、第１の番組に対応する、第２の基地局送信機によって送信される番組セグメントは、第１の送信電力レベルと異なる第２の送信電力レベルで送信される。
【００８６】
いくつかの実施形態では、第１の基地局送信機に隣接して位置する第２の基地局送信機に、第１の基地局と同じ第１の番組の番組セグメントを、同じ情報内容を有するセグメントが、第１と第２の基地局送信機によって、異なる時刻に送信されるよう送信するように動作させるステップは、異なる時刻が、例えば、固定タイミングオフセットなどのタイミングオフセットによるものであり、対応するタイミングオフセット許容度が第２の基地局送信機によって維持されるように制御することを含む。情報番組セグメントが、サイクリックプレフィックスと共に送信されるＯＦＤＭシンボルを使って送信される、いくつかのかかる実施形態では、第１と第２の基地局送信機による、同じ情報内容を有する番組セグメント間の送信タイミングオフセットは、サイクリックプレフィックスの期間より大きい。
【００８７】
いくつかのＯＦＤＭ実施形態では、第１と第２の基地局送信機は、サイクリックプレフィックス期間内に同期されず、同じ情報内容を有する、第１と第２の基地局によって送信される番組セグメント間の送信オフセットは、１つのＯＦＤＭシンボルと対応するサイクリックプレフィックスを送信するのに使用される時間を含む１シンボル送信期間の持続期間を超える。いくつかのかかる実施形態では、第１の基地局送信機による番組セグメントの送信と、第２の基地局送信機による同じ番組内容を有する番組セグメントの送信の間の時間オフセットは、少なくとも、この番組セグメントを送信するのに使用される時間量、例えば、第１と第２の送信機によってこの番組セグメントを送信するのに使用される時間量や、第２の送信機によってこの番組セグメントを送信するのに使用される時間量や、第１の送信機によってこの番組セグメントを送信するのに使用される時間量などに等しい。
【００８８】
様々な実施形態において、第１の基地局送信機は、第２の基地局送信機が、第１の番組に対応する番組セグメントを送信するときに、第１の番組に対応する番組セグメントを送信せず、第１と第２の基地局送信機は、第１の番組に対応する番組セグメントを、インターリーブして送信する。いくつかのかかる実施形態では、インターリーブされる番組セグメントは、第１と第２の基地局送信機によって周期的に送信され、第１の番組に対応する番組セグメント間の送信時間は、５秒未満である。
【００８９】
いくつかの実施形態では、第１と第２の基地局送信機は、それぞれ、複数の搬送周波数を使って信号を送信し、隣接する基地局送信機は、同じ搬送周波数に異なる送信電力レベルを使用する。いくつかのかかる実施形態では、各搬送周波数は、異なるＯＦＤＭトーンブロックに対応し、異なるＯＦＤＭトーンブロックのトーンは、周波数に関してオーバーラップしない。
【００９０】
いくつかの実施形態では、第１と第２の基地局送信機は、それぞれ、３つの搬送周波数を使って信号を送信し、隣接する基地局送信機は、同じ搬送周波数に異なる送信電力レベルを使用し、各搬送波は、異なるＯＦＤＭトーンブロックに対応し、異なるＯＦＤＭトーンブロックのトーンは、周波数に関してオーバーラップせず、所与の送信機について、これの３つのトーンブロックは、周波数に関して隣接するトーンブロックである。
【００９１】
図２０は、様々な実施形態による基地局を動作させる方法の例を示す流れ図２０００である。この方法はステップ２００２から開始し、ここで、基地局が電源投入され、初期設定される。処理は、開始ステップ２００２からステップ２００４に進む。ステップ２００４で、基地局は、異なる搬送波に対応する信号が異なる電力レベルで送信され、上記異なる搬送波は、第１の搬送波と第２の搬送波を含む複数の搬送波を使って、番組情報を送信するように動作する。いくつかの実施形態では、複数の搬送波は、少なくとも３つの異なる搬送波を含み、ステップ２００４は、同じ番組情報の一部を、３つの異なる搬送波のそれぞれで、異なる電力レベルで送信することを含む。
【００９２】
ステップ２００４は、サブステップ２００６と２００８を含む。サブステップ２００６で、基地局は、第１の電力レベルで送信される第１の搬送波上で番組情報を送信するように動作する。サブステップ２００８で、基地局は、第１の電力レベルとは異なる第２の電力レベルで送信される第２の搬送波上で番組情報を送信するように動作する。
【００９３】
様々な実施形態において、サブステップ２００８など、第２の搬送波上で番組情報を送信することは、番組情報が第１の搬送波上で送信される際の第１の送信情報データ転送速度とは異なる第２の送信情報データ転送速度で番組情報を送信することを含む。例えば、いくつかのかかる実施形態では、第１の電力レベルは、第２の電力レベルより低く、第１の情報データ転送速度は、第２の送信情報データ転送速度より高い。
【００９４】
様々な実施形態において、番組情報はビデオ番組を含み、サブステップ２００６など、第１の搬送波上で番組情報を送信することは、ビデオ番組の少なくとも一部分を、第１の搬送波上で、第１のビデオ解像度で送信することを含む。いくつかのかかる実施形態では、サブステップ２００８など、第２の搬送波上で番組情報を送信することは、番組情報を、第２の搬送波上で、番組情報が第１の搬送波上で送信される際の解像度より低い解像度で送信することを含む。いくつかの実施形態では、ステップ２００４は、同じ番組情報の少なくとも一部を、上記第１と第２の搬送波上で、異なる解像度で送信することを含む。
【００９５】
いくつかの実施形態では、番組情報を送信することは、同じ番組情報を、第１と第２の搬送波上で送信することと、上記第１の搬送波上で、上記第２の搬送波上では送信されない追加の番組情報を送信することを含む。いくつかの実施形態では、番組情報を送信することは、ある期間に第１の搬送波上で、同じ期間に上記第２の搬送波上で送信されるよりも多くの番組情報を送信することを含む。
【００９６】
いくつかの実施形態では、第２の搬送波信号は、例えば、第２の搬送波と関連付けられるより高い電力レベルなどのために、第１の搬送波の領域よりも広い地理的領域をカバーし、この方法は、第１の搬送波の第１のカバーエリア内に位置する企業に関する情報を送信することと、第２の搬送波を使って、上記第１のカバーエリア外の、上記第２の搬送波のカバーエリア内にある企業に関する情報を送信することをさらに含む。
【００９７】
様々な実施形態において、サブステップ２００８などで、第２の搬送波上で送信される番組情報は基本ビデオ情報であり、サブステップ２００６などで、第１の搬送波上で送信される番組情報は、基本ビデオ番組と合成されて、第２の搬送波上で送信される番組情報だけを使って可能なビデオ提示よりも高品質のビデオ提示を提供することのできる機能拡張情報である。
【００９８】
いくつかの実施形態では、サブステップ２００８などで、第２の搬送波上で送信される番組情報は、基本番組であり、サブステップ２００６などで、第１の搬送波上で送信される番組情報は、基本番組に追加コンテンツを加えたものを含む。いくつかのかかる実施形態では、追加コンテンツは、基本番組に含まれないビデオコンテンツ、基本番組に含まれない追加言語のサポート、基本ビデオコンテンツと共に表示されるべきテキストストリーム、第２の搬送波上で送信されない広告の少なくとも１つを含む。
【００９９】
いくつかの実施形態では、サブステップ２００８などで、第２の搬送波上で送信される番組情報は基本番組であり、サブステップ２００６などで、第１の搬送波上で送信される番組情報は、第２の搬送波上の番組情報と合成されて追加コンテンツを提供することができる。いくつかのかかる実施形態では、追加コンテンツは、基本番組に含まれないビデオコンテンツ、基本番組に含まれない追加言語のサポート、基本ビデオコンテンツと共に表示されるべきテキストストリーム、および広告の少なくとも１つを含む。
【０１００】
図２１は、アクセスノード２１００などの基地局の例２１００を示す図である。例示的基地局２１００は、様々な要素がデータと情報を交換し合うためのバス２１１２を介して相互に結合された、マルチキャリヤ受信機構２１０２と、マルチキャリヤ送信機構２１０４と、プロセッサ２１０６と、入出力インターフェース２１０８と、メモリ２１１０を含む。メモリ２１１０は、ルーチン２１２４とデータ／情報２１２６を含む。ＣＰＵなどのプロセッサ２１０６は、ルーチン２１２４を実行し、メモリ２１１０内のデータ／情報２１２６を使って、基地局２１００の動作を制御し、方法を実施する。
【０１０１】
入出力インターフェース２１０８は、基地局２１００を他のネットワークノード、例えば、ルータ、他の基地局、番組コンテンツサーバ、ＡＡＡサーバ、ルータ、制御ノード、コアノードなど、および／またはインターネットに結合する。よって、放送されるべき番組情報は、入出力インターフェース２１０８を介して、様々な番組コンテンツサーバなどから受け取られる。
【０１０２】
マルチキャリヤ受信機構２１０２は、基地局が無線端末からアップリンク信号を受信するための受信アンテナ２１０３に結合されている。マルチキャリヤ受信機構２１０２は、受信アップリンク信号の少なくとも一部を復号する復号器２１１４を含む。受信アップリンク信号は、いくつかの実施形態では、放送番組を受信するよう要求する、無線端末からの登録要求信号を含む。
【０１０３】
マルチキャリヤ送信機構２１０４は、少なくとも第１と第２の搬送波を使って、送信スケジューリングモジュール２１３２の制御下で、番組情報を送信する。様々な実施形態において、マルチキャリヤ送信機構２１０４は、第１と第２の搬送波上で、それぞれ、第１と第２の送信情報データ転送速度で番組情報を送信し、第１と第２の送信データ転送速度は異なる。マルチキャリヤ送信機構２１０４は、基地局２１００が無線端末にダウンリンク信号を送信するための送信アンテナ２１０５に結合されている。ダウンリンク放送信号は、１つまたは複数の放送番組を搬送する情報を含む。いくつかの実施形態では、マルチキャリヤ送信機構２１０４は、１つまたは複数のマルチキャリヤ送信モジュール２１１６を含む。例えば、いくつかの実施形態では、単一の基地局送信機が、例えば、各ダウンリンク搬送波がダウンリンクＯＦＤＭトーンブロックに対応する３つのダウンリンク搬送波など、複数のダウンリンク搬送波に対応する周波数で送信する。いくつかの実施形態では、マルチキャリヤ送信機構２１０４は、複数の単一の搬送波の送信モジュール（搬送波１送信モジュール２１１８、・・・、搬送波Ｎ送信モジュール２１２０）を含む。
【０１０４】
基地局２１００が、３つのダウンリンク搬送波を使用する単一セクタセルに対応する一例示的実施形態では、マルチキャリヤ送信機構２１０４は、単一の３搬送波送信モジュール２１１６を含む。基地局２１００が、３つのダウンリンク搬送波を使用する単一セクタセルに対応する一例示的実施形態では、マルチキャリヤ送信機構２１０４は、３つの単一搬送波の送信モジュールを含む。
【０１０５】
基地局２１００が、３つのダウンリンク搬送波を使用する３セクタセルに対応する一例示的実施形態では、マルチキャリヤ送信機構２１０４は、３つの３搬送波の送信モジュール２１１６を含む。基地局２１００が、３つのダウンリンク搬送波を使用する３セクタセルに対応する一例示的実施形態では、マルチキャリヤ送信機構２１０４は、９つの単一搬送波の送信モジュールを含む。
【０１０６】
マルチキャリヤ送信機構２１０４は、ダウンリンク放送信号によって放送されるべき情報の少なくとも一部を符号化する符号器２１２２を含む。いくつかの実施形態では、様々なダウンリンク番組が暗号化され、例えば、アクセスが許可された無線端末だけに限定される。
【０１０７】
ルーチン２１２４は、通信ルーチン２１２８と基地局制御ルーチン２１３０を含む。通信ルーチン２１２８は、基地局２１００によって使用される通信プロトコルを実施する。また、通信ルーチン２１２８は、様々な通信操作も処理し、例えば、番組コンテンツサーバから、放送されるべき番組コンテンツを受信するように入出力インターフェース２１０８動作を制御する。
【０１０８】
基地局制御ルーチン２１３０は、送信スケジューリングモジュール２１３２と、搬送波電力レベル制御モジュール２１３４を含む。送信スケジューリングモジュール２１３２は、例えば、第１と第２のダウンリンク搬送波が、マルチキャリヤ送信機構２１０４によって使用されるなど、複数の搬送波上での番組情報の送信をスケジュールする。搬送波電力レベル制御モジュール２１３４は、例えば、マルチキャリヤ送信機構２１０４に対応する第１と第２のダウンリンク搬送波の電力差を維持するために、電力レベル情報２１４４を含むデータ／情報２１２６を使って、基地局２１００によって使用される複数のダウンリンク搬送波の送信電力レベルを制御する。様々な実施形態において、搬送波電力レベル制御モジュール２１３４は、第１のダウンリンク搬送波と関連付けられる第１の電力レベルを、マルチキャリヤ送信機構２１０４に関して、第２のダウンリンク搬送波と関連付けられる第２の電力レベルより低くなるように制御する。
【０１０９】
データ／情報２１２６は、システム（ＯＦＤＭなど）タイミング／周波数構造情報２１３６と、基地局／セクタ識別情報２１３８と、無線端末情報２１４０と、ユーザ／装置／セッション／リソース情報２１４２を含む。様々な実施形態において、ダウンリンクチャネル構造は、少なくとも一部が、ダウンリンク放送番組情報を搬送するために割り振られる、反復構造のインデックス付きセグメントなどのセグメントを含む。システムタイミング／周波数構造情報２１３６は、ダウンリンク／アップリンクチャネル構造情報、ダウンリンク／アップリンク搬送波情報、ダウンリンク／アップリンクトーンブロック情報、ダウンリンク／アップリンクトーンホッピング情報などを含む。基地局／セクタ識別情報２１３８は、例えば、各マルチキャリヤ送信機構２１０４に対応する基地局セル識別情報、セクタ識別情報および／またはセクタ型情報を含む。無線端末情報２１４０は、基地局２１００を使用する複数の無線端末に関連付けられる情報を含む。いくつかの実施形態では、ＷＴ情報２１４０は、送信される番組を受信する無線端末と関連付けられる登録情報、セキュリティ情報および／または課金情報を含む。ユーザ／装置／セッション／リソース情報２１４２は、ピアノードとの通信セッションに参加し、かつ／または、放送などで送信される番組などを受信する無線端末と関連付けられる、ユーザ識別情報、装置識別情報、および無線リンクリソース情報を含む。様々な実施形態において、基地局２１００は、放送などで送信される番組と、２つのピア無線端末を含む通信セッションの両方をサポートする。様々な実施形態において、放送番組の少なくとも一部は、許可されたアクセス権を有するマルチキャストグループなどのユーザグループを選択するように指定される。いくつかの実施形態では、基地局２１００は、放送信号をサポートするが、２つのピア無線端末を含む通信セッションをサポートしない。
【０１１０】
また、データ／情報２１２６は、電力レベル情報２１４４、解像度情報２１４６、番組情報２１４８、および送信タイミングスケジューリング情報２１５０も含む。電力レベル情報２１４４は、搬送波電力レベル制御モジュール２１３４によって、マルチキャリヤ送信機構２１０４を制御するのに使用される複数の電力レベル情報（搬送波１電力レベル情報２１５４、・・・、搬送波Ｎ電力レベル情報２１５６）を含む。いくつかの実施形態では、電力レベル情報２１４４は、マルチキャリヤ送信機構２１０４によって使用される異なる搬送波の少なくとも２つが、異なる電力レベルで送信されることを示す。いくつかの実施形態では、電力レベル情報２１４４は、マルチキャリヤ送信機構２１０４によって使用される異なる搬送波のそれぞれが、異なる電力レベルで送信されることを示す。解像度情報２１４６は、マルチキャリヤ送信機構２１０４によって使用される搬送波のそれぞれと関連付けられる複数の解像度レベル（搬送波１解像度情報２１５８、・・・、搬送波Ｎ解像度情報２１６０）を含む。例えば、いくつかの実施形態では、マルチキャリヤ送信モジュール２１０４の搬送波Ｎは、ビデオ解像度の基本レベルを円滑化する情報に対応し、マルチキャリヤ送信モジュール２１０４の搬送波１は、高レベルのビデオ解像度、例えば、基本レベルに対する拡張ビデオ解像度レベルなどを円滑化する情報に対応する。
【０１１１】
番組情報２１４８は、基地局２１００から送信されるべき１つまたは複数の番組に対応する情報（番組１情報２１６２、・・・、番組Ｘ情報２１６４）を含む。番組１情報２１６２、例えばビデオ番組情報などは、マルチキャリヤ送信機構２１０４によって番組１情報を搬送するのに使用される搬送波のそれぞれに対応する番組１情報の複数の部分（搬送波１部分１情報２１６６、・・・、搬送波１部分Ｍ情報２１７０）、・・・、（搬送波Ｎ部分１’情報２１６８、・・・、搬送波Ｎ部分Ｍ’情報２１７２）を含む。
【０１１２】
送信スケジューリング情報２１５０は、例えば、送信スケジューリングモジュール２１３２によって使用され、かつ／または生成され、送信されるべき１つまたは複数の番組に対応する番組スケジューリング情報の複数のセット（番組１スケジューリング情報２１７４、・・・、番組Ｘスケジューリング情報２１７６）を含む。番組１スケジューリング情報２１７４は、マルチキャリヤ送信機構２１０４によって番組１を送信するのに使用される複数の搬送波と関連付けられる番組スケジューリング情報の複数のセット（搬送波１番組１スケジューリング情報２１７８、・・・、搬送波Ｎ番組１スケジューリング情報２１８０）を含む。搬送波１番組１スケジューリング情報２１７８は、番組１の複数の部分に対応するスケジューリング情報（搬送波１／部分１スケジューリング情報２１８２、・・・、搬送波１／部分Ｍスケジューリング情報２１８４）を含む。搬送波Ｎ番組１スケジューリング情報２１８０は、番組１の複数の部分に対応するスケジューリング情報（搬送波Ｎ／部分１’スケジューリング情報２１８６、・・・、搬送波Ｎ／部分Ｍ’スケジューリング情報２１８８）を含む。
【０１１３】
地理情報２１５２は、マルチキャリヤ送信機構２１０４によって使用される異なる搬送波と関連付けられる情報の複数のセット（搬送波１地理情報２１９０、・・・、搬送波Ｎ地理情報２１９２）を含む。搬送波１地理情報２１９０は企業情報２１９４を含み、搬送波Ｎ地理情報２１９２は企業情報２１９６を含む。例えば、いくつかの実施形態では、搬送波Ｎなどの第２の搬送波は、マルチキャリヤ送信モジュール２１０４に対応する搬送波１などの第１の搬送波よりも広い地理的領域をカバーし、マルチキャリヤ送信モジュール２１０４は、送信スケジューリングモジュール２１３２などを介して、第１の搬送波を使用する第１の搬送波の第１のカバーエリア内に位置する企業に関する情報を送信し、第１のカバーエリア外の、第２の搬送波を使用する第２のカバーエリア内にある企業に関する情報を送信するように制御される。
【０１１４】
図２２は、番組情報のいくつかのセットの例（２１６２’、２１６２”、２１６２”’）を示す図２２００である。セット２１６２’、セット２１６２”、セット２１６２”’などの番組情報のセットは、図２１の番組情報セット（番組１情報２１６２、・・・、番組Ｘ情報２１６４）のいずれでもよい。
【０１１５】
例示的番組情報セット２１６２’は、搬送波１情報の複数のセット（搬送波１部分１情報２１６６’、・・・、搬送波１部分Ｍ情報２１７０’）と、搬送波Ｎ情報の複数のセット（搬送波Ｎ部分１’情報２１６８’、・・・、搬送波Ｎ部分Ｍ’情報２１７２’）を含む。搬送波１部分１情報２１６６’は、部分１’情報２２０２と、追加情報２２０４を含む。搬送波Ｎ部分Ｍ情報２１７０’は、部分Ｍ’情報２２０６と追加情報２２０８を含む。様々な実施形態において、部分１’情報２２０２は、搬送波Ｎ部分１’情報２１６８’と同じであり、部分Ｍ’情報２２０６は、搬送波Ｎ部分Ｍ’情報２１７２’と同じである。いくつかのかかる実施形態では、搬送波１を使って送信される追加情報（２２０４、・・・、２２０８）は、マルチキャリヤ送信機構２１０４に関しては、搬送波Ｎを使って送信されない。
【０１１６】
例示的番組情報セット２１６２”は、搬送波１情報の複数のセット（搬送波１部分１情報２１６６”、・・・搬送波１部分Ｍ情報２１７０”）と、搬送波Ｎ情報の複数のセット（搬送波Ｎ部分１’情報２１６８”、・・・、搬送波Ｎ部分Ｍ’情報２１７２”）を含む。搬送波Ｎ部分１’情報２１６８”は、基本ビデオ番組情報部分１’２２１０を含み、搬送波Ｎ部分Ｍ’情報２１７２”は、基本ビデオ番組情報部分Ｍ’２２２２を含む。搬送波１部分１情報２１６６”は、基本ビデオ番組情報部分１’２２１０と、追加コンテンツおよび／または機能拡張情報２２１２を含む。追加コンテンツおよび／または機能拡張情報２２１２は、ビデオ機能拡張情報２２１３、追加ビデオコンテンツ情報２２１４、言語サポート情報２２１６、テキストストリーム情報２２１８、広告情報２２２０の少なくとも１つを含む。搬送波１部分Ｍ情報２１７０”は、基本ビデオ番組情報部分Ｍ’２２２２と、追加コンテンツおよび／または機能拡張情報２２２４を含む。追加コンテンツおよび／または機能拡張情報２２２４は、ビデオ機能拡張情報２２２３、追加ビデオコンテンツ情報２２２６、言語サポート情報２２２８、テキストストリーム情報２２３０、および広告応報２２３２の少なくとも１つを含む。
【０１１７】
例示的番組情報セット２１６２”’は、搬送波１情報の複数のセット（搬送波１部分１情報２１６６”’、・・・、搬送波１部分Ｍ情報２１７０”’）と、搬送波２情報の複数のセット（搬送波２部分１”情報２１６７”’、・・・、搬送波２部分Ｍ”情報２１７１”’）と、搬送波Ｎ情報の複数のセット（搬送波Ｎ部分１’情報２１６８”、・・・、搬送波Ｎ部分Ｍ’情報２１７２”’）を含む。搬送波Ｎ部分１’情報２１６８”’は、基本ビデオ番組情報部分１’２２３８を含み、搬送波Ｎ部分Ｍ’情報２１７２は、基本ビデオ番組情報部分Ｍ’２２４６を含む。搬送波２部分１”情報２１６７”’は、中レベル部分１’機能拡張情報２２３６を含み、搬送波Ｎ部分Ｍ”情報２１７１’は、中レベル部分Ｍ’機能拡張情報２２４２を含む。搬送波１部分１情報２１６６”’は、高レベル部分１’機能拡張情報２２３４を含み、搬送波Ｎ部分Ｍ情報２１７０”’は、高レベル部分Ｍ’機能拡張情報２２４０を含む。
【０１１８】
いくつかの実施形態では、特定の搬送波と関連付けられる機能拡張データは、基本ビデオを搬送する搬送波と機能拡張を搬送する搬送波の、２つの搬送波からの番組情報を受信し、復号する無線端末が、関連付けられる機能拡張のレベルを達成することができるようなものである。例えば、無線端末が、番組に関連して搬送波Ｎと搬送波２の情報を受信し、正常に復号する場合、この無線端末は、この情報を合成して、基本レベルのビデオ提示よりも高い中レベルのビデオ提示を達成することができる。引き続きこの例について、無線端末が、番組に関連して、搬送波Ｎと搬送波１の情報を受信し、正常に復号する場合、この無線端末は、この情報を合成して、中レベルのビデオ提示より高いレベルのビデオ提示を達成することができる。
【０１１９】
いくつかの実施形態では、様々な搬送波と関連付けられる機能拡張データは、基本のビデオ番組と関連付けられる搬送波を使用するときには基本レベルの提示を、２つの搬送波を使用するときには第１のレベルの機能拡張を、３つの搬送波を使用するときには第３のレベルの機能拡張を（以下同様）達成することができるようなものである。例えば、番組情報２１６２”’が、例えばＮ＝３などとする、３つの搬送波に対応する情報を含むものとする。搬送波３の番組情報が無線端末によって正常に受け取られ、復号された場合、基本ビデオ番組が表示され得る。搬送波３の番組情報と搬送波２の番組情報が受け取られ、正常に復号された場合、中レベルの機能拡張番組が表示され得る。搬送波３の番組情報、搬送波２の番組情報、および搬送波１の番組情報が正常に受け取られ、復号された場合、高レベルの機能拡張番組が表示され得る。様々な実施形態において、各搬送波と関連付けられる電力レベルおよび／または情報データ転送速度は、基本のビデオ番組は、中レベルの機能拡張情報が有すると期待されるよりも高い正常な復号の確率を有すると期待され、中レベルの機能拡張情報は、高レベルの機能拡張情報が有すると期待されるよりも高い正常な復号の確率を有すると期待されるようなものである。
【０１２０】
図２３は、無線端末を動作させる方法の例を示す流れ図２３００である。例示的方法はステップ２３０２から開始し、ここで、無線端末が電源投入され、初期設定される。処理は、開始ステップ２３０２からステップ２３０４に進む。
【０１２１】
ステップ２３０４で、無線端末は、放送番組に対応する、ＯＦＤＭ信号などの信号であり、第１の搬送波と第１の送信機に対応する第１の信号と、第２の搬送波と第２の送信機に対応する第２の信号を含み、少なくとも第１の搬送波が第２の搬送波と異なり、または少なくとも第２の送信機が第１の送信機と異なる信号を受信するように動作する。一例では、第１と第２の搬送波は同じであり、第１と第２の送信機は異なる。別の例では、第１と第２の搬送波は異なり、第１と第２の送信機は同じ送信機である。別の例では、第１と第２の搬送波は異なり、第１と第２の送信機は異なる。
【０１２２】
第１と第２の搬送波が異なり得る単一の受信チェーンを使用するいくつかの実施形態など、いくつかの実施形態では、ステップ２３０４が、サブステップ２３０８、２３１０、２３１２、２３１４および２３１６を含む。
【０１２３】
サブステップ２３０８で、無線端末は第１の搬送波に同調し、次いでサブステップ２３１０で、無線端末は第１の信号を受信する。処理は、サブステップ２３１０からサブステップ２３１２に進む。サブステップ２３１２で、無線端末は、第１と第２の搬送波が異なるかどうかチェックする。無線端末が、サブステップ２３１２で、第１と第２の搬送波が異なると判定した場合、処理はサブステップ２３１４に進み、ここで、無線端末が第２の搬送波に再度同調する。処理は、サブステップ２３１４からサブステップ２３１６に進む。無線端末が、サブステップ２３１２で、第１と第２の搬送波が同じであると判定した場合、処理はサブステップ２３１６に進む。サブステップ２３１６で、無線端末は、第２の信号を受信する。
【０１２４】
処理は、ステップ２３０４からステップ２３０５に進む。ステップ２３０５で、無線端末は、第１と第２の信号を合成する。いくつかの実施形態では、第１の信号は基本番組信号であり、第２の信号は機能拡張信号である。ステップ２３０５は、サブステップ２３１８を含む。サブステップ２３１８で、無線端末は、第２の信号の情報を使って、第１の信号から生成される音声提示とビデオ提示の少なくとも１つを機能拡張する。様々な実施形態において、サブステップ２３１８は、サブステップ２３２０と２３２４の少なくとも１つを含む。サブステップ２３２０で、無線端末は、上記第１の信号に含まれるビデオ画像の解像度を上げる。サブステップ２３２４で、無線端末は、上記の音声またはビデオ提示に、上記第１の信号には存在しない追加の音声またはビデオコンテンツを組み込む。例えば、いくつかの実施形態では、追加コンテンツには、基本番組に含まれないビデオコンテンツ、基本番組に含まれない音声コンテンツ、基本番組に含まれない追加言語のサポート、上記基本ビデオコンテンツと共に表示されるべきテキストストリーム、広告の少なくとも１つが含まれる。
【０１２５】
処理は、ステップ２３０５からステップ２３０６に進む。ステップ２３０６で、無線端末は、合成信号から、音声提示とビデオ提示の少なくとも１つを生成する。
【０１２６】
図２４は、無線端末を動作させる方法の例を示す流れ図２４００である。この例示的方法は、ステップ２４０２から開始し、ここで、無線端末が電源投入され、初期設定される。処理は、開始ステップ２４０２からステップ２４０４に進む。
【０１２７】
ステップ２４０４で、無線端末は、放送番組に対応する信号であり、第１の搬送波と第１の送信機に対応する第１の信号と、第２の搬送波と第２の送信機に対応する第２の信号を含み、少なくとも第１の搬送波が第２の搬送波と異なり、または少なくとも第２の送信機が第１の送信機と異なる信号を受信するように動作する。一例では、第１と第２の搬送波は同じであり、第１と第２の送信機は異なる。別の例では、第１と第２の搬送波は異なり、第１と第２の送信機は同じ送信機である。別の例では、第１と第２の搬送波は異なり、第１と第２の送信機は異なる。いくつかの実施形態では、第１と第２の信号は、同じコンテンツを含むが、異なる搬送波上で、または異なる送信機から受け取られる。
【０１２８】
第１と第２の信号が異なる時刻に受け取られるいくつかの実施形態など、いくつかの実施形態では、ステップ２４０４は、サブステップ２４１６、２４１８および２４２０を含む。サブステップ２４１６で、無線端末は、第１と第２の信号の１つを受信する。処理は、サブステップ２４１６からサブステップ２４１８に進む。サブステップ２４１８で、無線端末は、第１と第２の信号のうちの受け取られた方の信号から獲得される情報を格納する。処理は、サブステップ２４１８からサブステップ２４２０に進む。サブステップ２４２０で、無線端末は、サブステップ２４１６で受け取られなかった第１と第２の信号の他方の信号を受信する。
【０１２９】
処理は、ステップ２４０４からステップ２４０６に進む。ステップ２４０６で、無線端末は、第１と第２の信号の少なくとも１つを復号しようと試み、次いで、ステップ２４０８で、試みた復号の結果がチェックされる。ステップ２４０６の復号の試みに成功した場合、処理は、ステップ２４０８からステップ２４１４に進む。ステップ２４０６の復号の試みに成功しなかった場合、処理は、ステップ２４０８からステップ２４１０に進む。ステップ２４１０で、無線端末は、第１と第２の受信信号を合成し、次いで、ステップ２４１２で、無線端末は、合成信号を復号する。処理は、ステップ２４１２からステップ２４１４に進む。ステップ２４１４で、無線端末は、復号信号情報から音声提示とビデオ提示の少なくとも１つを生成する。
【０１３０】
図２５は、移動ノードなどの無線端末の例２５００を示す図である。例示的無線端末２５００は、様々な要素がデータと情報を交換し合うためのバス２５１２を介して相互に結合された、受信モジュール２５０２と、送信モジュール２５０４と、プロセッサ２５０６と、ユーザ入出力装置２５０８と、メモリ２５１０を含む。メモリ２５１０は、ルーチン２５２４とデータ／情報２５２６を含む。ＣＰＵなどのプロセッサ２５０６は、ルーチン２５２４を実行し、メモリ２５１０内のデータ／情報２５２６を使って、無線端末の動作を制御し、方法を実施する。
【０１３１】
受信モジュール２５０２は、ＯＦＤＭ受信機などであり、無線端末が、基地局送信機から、１つまたは複数のソースからの放送番組情報を含むダウンリンク信号を受信するための受信アンテナ２５０３に結合されている。受信モジュール２５０２は、放送番組に対応する信号であり、第１の搬送波と第１の送信機に対応する第１の信号と、第２の搬送波と第２の送信機に対応する第２の信号を含み、少なくとも第１の搬送波が第２の搬送波と異なり、または少なくとも第２の送信機が第１の送信機と異なる信号を受信する。受信モジュール２５０２は、受信ダウンリンク信号の少なくとも一部を復号する復号器２５１４を含む。
【０１３２】
送信モジュール２５０４は、ＯＦＤＭ送信機などであり、無線端末２５００が基地局にアップリンク信号を送信するための送信アンテナ２５０５に結合されている。いくつかの実施形態では、アップリンク信号は、登録信号、および／または放送番組を受信し、回復するためのアクセスを求める要求を含む。送信モジュール２５０４は、送信されるべきアップリンク信号の少なくとも一部を符号化する符号器２５１６を含む。
【０１３３】
ユーザ入出力装置２５０８には、キーパッド、キーボード、スイッチ、マイクロホン、カメラ入力などのユーザ装置２５１８、ディスプレイ２５２０、ならびにスピーカおよび関連する増幅および／またはオーディオ処理回路などのオーディオ出力装置２５２２が含まれる。
【０１３４】
ユーザ入力装置２５１８は、無線端末２５００の操作者により、放送番組を選択し、アクセスを要求し、ログオンし、かつ／または他のインターフェース操作を行うのに使用される。ディスプレイ２５２０は、無線端末２５００のユーザが、回復されたビデオ番組提示情報を見ることができるようにする。オーディオ出力装置２５２２は、無線端末２５００のユーザが、回復された音声提示情報を聴くことができるようにする。
【０１３５】
ルーチン２５２４は、通信ルーチン２５２８と無線端末制御ルーチン２５３０を含む。通信ルーチン２５２８は、無線端末２５００によって使用される様々な通信プロトコルを実施する。無線端末制御ルーチン２５３０は、メモリモジュール２５３２と、合成モジュール２５３４と、番組再生モジュール２５３６と、機能拡張モジュール２５３８と、同調モジュール２５４０と、切り換え制御モジュール２５４２を含む。機能拡張モジュール２５３８は、階層的復号モジュール２５４４と、コンテンツ合成モジュール２５４６を含む。
【０１３６】
メモリモジュール２５３２は、異なる搬送波および／または異なる送信機から受け取られる放送番組に対応する複数の受信信号を格納する。異なる送信機は、異なる基地局、同じ基地局の異なる基地局セクタ送信機、および／または同じ基地局の同じセクタの異なる搬送波の送信機に対応し得る。メモリモジュール２５３２によって格納される情報の例が、ソース１からの放送番組受信信号２５４８、ソース２からの放送番組受信信号２５５０、・・・、ソースＮからの放送番組受信信号２５５２である。
【０１３７】
合成モジュール２５３４は、番組提示を生成する際に使用するために、異なる搬送波上で、かつ／または異なる基地局から受け取られる受信信号を合成する。放送番組受信信号（２５４８、２５５０、２５５２）は、合成モジュール２５３４への入力であり、番組に対応する合成番組セグメント２５５４は、合成モジュール２５３４の出力である。
【０１３８】
番組再生モジュール２５３６は、合成信号から、例えば、音声提示情報２５５８やビデオ提示情報２５６０などで表される、音声提示とビデオ提示の少なくとも１つを生成する。
【０１３９】
機能拡張モジュール２５３８は、例えば第２のソースからの受信放送情報など、第２の信号内の情報を使って、第１のソースからの受信放送情報など、第１の信号から生成される音声提示情報とビデオ提示の少なくとも１つを機能拡張する。例えば、基本音声番組情報２５８４および／または基本ビデオ番組情報２５９０は、ソース１からの第１の信号からのものとすることができ、音声提示機能拡張情報２５８６および／またはビデオ提示機能拡張情報２５９０は、ソース２からの第２の信号からの情報を含むことができ、機能拡張モジュール２５３８の動作により、機能拡張音声提示情報２５８８および／または機能拡張ビデオ提示情報２５９４がもたらされる。
【０１４０】
階層的復号モジュール２５４４は、第２のソースなどからの、第２の信号を機能拡張信号として使って、階層的復号操作を行うことによって、第１のソースなどからの、第１の信号に含まれるビデオ画像の解像度を上げる。様々な実施形態において、階層的復号器は、第３のソースなどからの、第３の信号を、別の機能拡張信号として使用することを含む、階層的復号操作を行うことによって、ビデオ画像の解像度をさらに上げる。
【０１４１】
コンテンツ合成モジュール２５４６は、音声提示および／またはビデオ提示に、第１の信号には存在しない、第２のソースなどからの第２の信号からの追加の音声および／またはビデオコンテンツを組み込む。
【０１４２】
同調モジュール２５４０は、ソース１とソース２に対応する第１と第２の搬送波の１つなど、無線端末の受信モジュール２５０２によって放送番組信号を受信するのに使用されている搬送波の１つに同調する。切り換え制御モジュール２５４２は、例えば、異なる送信元と関連付けられる放送番組セグメントタイミングに対応する格納タイミング情報などに従って、同調モジュール２５４０を、第１と第２の搬送波を切り換えるように制御する。
【０１４３】
データ／情報２５２６には、１つまたは複数の放送番組受信信号のセット（ソース１からの放送番組受信信号２５４８、ソース２からの放送番組受信信号２５５０、・・・、ソースＮからの放送番組受信信号２５５２）、番組に対応する合成番組セグメント２５５４、ソース／搬送波／送信機情報２５５６、音声提示情報２５５８、ビデオ提示情報２５６０、現在選択されているダウンリンク搬送波情報２５６２、ユーザ／装置／セッション／リソース情報２５６４、現在の基地局／セクタ識別情報２５６６、システム（ＯＦＤＭシステムなど）タイミング／周波数構造情報２５６８、および番組ディレクトリ情報２５７０が含まれる。
【０１４４】
ソース１からの放送番組受信信号２５４８は、１つまたは複数のセグメントの情報（セグメント１情報２５７２、・・・、セグメントＮ情報２５７４）を含む。ソース２からの放送番組受信信号２５５０は、１つまたは複数のセグメントの情報（セグメント１’情報２５７６、・・・、セグメントＮ’情報２５７８）を含む。ソースＮからの放送番組受信信号２５５２は、１つまたは複数のセグメントの情報（セグメント１”情報２５８０、・・・、セグメントＮ”情報２５８２）を含む。
【０１４５】
音声提示情報２５５８は、基本番組情報２５８４、機能拡張情報２５８６、および機能拡張音声提示情報２５８８を含む。ビデオ提示情報２５６０は、基本番組情報２５９０、機能拡張情報２５９２、および機能拡張ビデオ提示情報２５９４を含む。
【０１４６】
ソース／搬送波／送信機情報２５５６は、放送番組信号の異なるソースのそれぞれを、使用されているダウンリンク搬送波、および送信機を識別する情報と相関させる情報を含む。現在選択されているダウンリンク搬送波情報２５６２は、受信モジュール２５０２が現在同調されている搬送波を識別する情報を含む。ユーザ／装置／セッション／リソース情報２５６４には、例えば、ユーザ識別情報、装置識別情報、装置パラメータ設定情報、セッション情報、無線端末が音声／ビデオ番組提示を受け取るために、どのダウンリンクトラフィックチャネルセグメントを受信し、処理すべきかといった無線リンクリソース情報などが含まれる。現在の基地局／セクタ識別情報２５６６は、無線端末２５００によって受け取られている放送信号のソースと関連付けられる基地局、セクタ、および／または搬送波を識別する情報を含む。システム（ＯＦＤＭシステムなど）タイミング／周波数構造情報２５６８には、例えば、システムのダウンリンク／アップリンクチャネル構造情報、ダウンリンク／アップリンク搬送波情報、ダウンリンク／アップリンクトーンＯＦＤＭトーンブロック情報、ダウンリンク／アップリンク周波数ホッピング情報、シンボルタイミング情報、複数のＯＦＤＭシンボル送信時刻グループ化に関連するタイミング情報、および番組セグメントタイミング情報などが含まれる。番組ディレクトリ情報２５７０には、例えば、複数の音声および／またはビデオ番組を識別する情報、異なる番組を異なる基地局接続点と関連付ける情報、基地局、基地局セクタおよびダウンリンク搬送波に対応する基地局接続点、ならびに基本番組や提示機能拡張情報など、番組の基地局接続点放送によって搬送されている情報の種類を識別する情報などが含まれる。
【０１４７】
図２６は、番組の放送をサポートする、ＯＦＤＭ通信システムなどの通信システムの例２６００を示す図である。例示的通信システム２６００は、複数の基地局（基地局１  ２６０２、基地局２  ２６０４）と、複数の、移動ノードなどの無線端末（無線端末１  ２６０６、・・・、無線端末Ｎ  ２６０８）と、ネットワークノード２６１０を含む。基地局１  ２６０２は、セル１  ２６０３のセルラカバーエリアを有する単一セクタ基地局であり、基地局２  ２６０４は、セル２  ２６０５のセルラカバーエリアを有する単一セクタ基地局である。基地局１  ２６０２と基地局２  ２６０４は、互いに隣接して位置する。基地局（２６０２、２６０４）は、それぞれ、ネットワークリンク（２６１２、２６１４）を介して、ルータなどのネットワークノード２６１０に結合されている。ネットワークノードは、ネットワークリンク２６１６を介して、インターネットおよび／または他のネットワークノードに結合されている。ネットワークリンク（２６１２、２６１４、２６１６）は、例えば、光ファイバリンクや銅線リンクなどである。
【０１４８】
無線端末（２６０６、２６０８）は、無線リンクを介して基地局と通信する。無線端末（２６０６、２６０８）は、基地局からダウンリンク放送番組信号を受信するものとして示されている。基地局１  ２６０２は、無線端末（２６０６、２６０８）によって受け取られるダウンリンク放送番組信号２６１８を送信する。基地局２  ２６０４は、無線端末（２６０６、２６０８）によって受け取られるダウンリンク放送番組信号２６２０を送信する。
【０１４９】
基地局１  ２６０２は、送信モジュール２６２２と、送信タイミング制御モジュール２６２４と、タイミング同期モジュール２６２６と、第１の番組のための格納番組セグメントのセット２６２８と、格納送信タイミングスケジューリング情報２６３０と、格納送信電力情報２６３２と、タイミング許容度情報２６２７を含む。基地局送信機２６２２は、第１の番組のための格納番組セグメントのセット２６２８の少なくとも一部など、第１の番組に対応する番組セグメントを送信する。送信タイミング制御モジュール２６２４は、第１の基地局送信機２６２２を、同じ情報内容を有する番組セグメントが第２の基地局送信機２６３４によって送信される時刻とは異なる時刻に番組セグメントを送信するように制御する。いくつかの実施形態では、送信タイミング制御モジュール２６２２は、第１の基地局送信機２６２２を、第２の基地局送信機によって送信される番組セグメントと同じ情報内容を有する番組セグメントを、同じ番組セグメントが、第２の基地局送信機によって送信される時刻とは異なるオーバーラップしない時刻に送信するよう制御する。格納送信スケジューリング情報２６３０は、第１の番組に対応する番組セグメントが、第１の搬送波を使って第１の基地局送信機２６２２によっていつ送信されるべきか示す情報を含む。格納送信電力レベル情報２６３２は、第１の番組に対応する番組セグメントが、第１の搬送波を使って第１の基地局送信機２６２２から送信される際の第１の送信電力レベルを示す情報を含む。様々な実施形態において、第１と第２の基地局送信機（２６２２、２６３４）は、サイクリックプレフィックス期間内にタイミング同期されない。タイミング同期モジュール２６２２は、第１の基地局の送信モジュール２６２２と第２の基地局の送信モジュール２６３４の間のタイミング同期を、最大許容度内のレベルのタイミング同期を維持するように維持し、上記最大タイミング許容度は、第１の基地局送信機２６２２によって送信されるＯＦＤＭシンボルのＯＦＤＭサイクリックプレフィックス期間より大きい。タイミング許容度情報２６２７は、タイミング同期モジュール２６２６によって使用される最大タイミング許容値を含む。
【０１５０】
基地局２  ２６０４は、送信モジュール２６３４と、送信タイミング制御モジュール２６３６と、タイミング同期モジュール２６３８と、第１の番組のための格納番組セグメントのセット２６４０と、格納送信タイミングスケジューリング情報２６４２と、格納送信電力情報２６４４と、タイミング許容度情報２６３９を含む。基地局送信機２６３４は、第１の番組のための格納番組セグメントのセット２６４０の少なくとも一部など、第１の番組に対応する番組セグメントを送信する。送信タイミング制御モジュール２６３６は、第２の基地局送信機２６３４を、同じ情報内容を有する番組セグメントが、第１の基地局送信機２６２２によって送信される時刻とは異なる時刻に番組セグメントを送信するように制御する。いくつかの実施形態では、送信タイミング制御モジュール２６３６は、第２の基地局送信機２６３４を、第１の基地局送信機２６２２によって送信される番組セグメントと同じ情報内容を有する番組セグメントを、同じ番組セグメントが、第１の基地局送信機２６２２によって送信される時刻と異なるオーバーラップしない時刻に送信するように制御する。格納送信スケジューリング情報２６４２は、第２の番組に対応する番組セグメントが、第１の搬送波とは異なる第２の搬送波を使って、第２の基地局送信機２６３４によっていつ送信されるべきか示す情報を含む。格納送信電力レベル情報２６４２は、第１の番組に対応する番組セグメントが、第２の搬送波を使って第２の基地局送信機２６３４から送信される際の第２の送信電力レベルであり、第１の送信電力レベルとは異なる第２の送信電力レベルを示す情報を含む。タイミング同期モジュール２６３８は、第２の基地局の送信モジュール２６３４と第１の基地局の送信モジュール２６２２の間のタイミング同期を、最大許容度内のレベルのタイミング同期を維持するように維持し、上記最大タイミング許容度は、第１の基地局送信機２６２２によって送信されるＯＦＤＭシンボルのＯＦＤＭサイクリックプレフィックス期間より大きい。タイミング許容度情報２６３９は、タイミング同期モジュール２６３８によって使用される最大タイミング許容値を含む。
【０１５１】
他のいくつかの実施形態では、第１と第２の基地局送信機がセクタ送信機であり、第１と第２の送信機の少なくとも１つが、マルチセクタセル内に位置する。
【０１５２】
図２７は、無線端末を動作させる方法の例を示す流れ図２７００である。この例示的方法は、ステップ２７０２から開始し、ここで、無線端末が電源投入され、初期設定される。処理は、開始ステップ２７０２からステップ２７０４に進む。ステップ２７０４で、無線端末は、第１の搬送波上で第１の番組に対応する第１の放送信号を受信するように動作する。処理は、ステップ２７０４からステップ２７０６に進む。ステップ２７０６で、無線端末は、第１の受信放送信号に対して第１の復号操作を行うように動作し、次いで、ステップ２７０８で、ステップ２７０６の復号操作の結果に基づいて処理が指図される。無線端末が、ステップ２７０６の復号に成功しなかったと判定した場合、処理は、ステップ２７０８からステップ２７１０に進む。しかしながら、ステップ２７０６に復号に成功したと判定された場合、処理は、ステップ２７０８からステップ２７０９に進む。
【０１５３】
ステップ２７１０で、無線端末は、第１の搬送波と異なる第２の搬送波に同調し、ステップ２７１２で、無線端末は、第２の搬送波上で、第１の番組に対応する第２の放送信号を受信する。処理は、ステップ２７１２からステップ２７１４に進む。ステップ２７１４で、無線端末は、第２の受信放送信号に対して復号操作を実行し、ステップ２７１６で、ステップ２７１４の復号操作の結果に基づいて、処理が指図される。無線端末が、ステップ２７１４の復号に成功しなかったと判定した場合、処理は、ステップ２７１６からステップ２７１８に進む。しかしながら、無線端末が、ステップ２７１４の復号に成功したと判定した場合、処理は、ステップ２７１６からステップ２７２０に進む。
【０１５４】
ステップ２７０９に戻って、ステップ２７０９で、無線端末は、回復された第１の番組情報の提示可能なコピーを生成する。処理は、ステップ２７０９からステップ２７０４に進み、ここで、無線端末は、次の番組セグメントなど、第１の搬送波によって搬送されている第１の番組に対応する別の放送信号を受信する。
【０１５５】
ステップ２７２０に戻って、ステップ２７２０で、無線端末は、回復された第１の番組情報の提示可能なコピーを生成する。処理は、ステップ２７２０からステップ２７１２に進み、ここで、無線端末は、次の番組セグメントなど、第２の搬送波によって搬送されている第１の番組に対応する別の放送信号を受信する。
【０１５６】
ステップ２７１８に戻って、ステップ２７１８で、無線端末は、第１の搬送波に同調する。処理は、ステップ２７１８からステップ２７０４に進み、ここで、無線端末は、次の番組セグメントなど、第１の搬送波を使って搬送されている第１の番組に対応する別の放送信号を受信する。
【０１５７】
次に、ステップ２７１４の復号に成功しなかった場合の代替の続行方法について説明する。ステップ２７１４の復号に成功しなかった場合、処理は、ステップ２７１６からステップ２７２２に進む。ステップ２７２２で、無線端末は、対応する第１と第２の利用可能な信号があるかどうか、例えば、同じ番組セグメントに対応する第１と第２の信号が受け取られ、情報が格納されているかどうかなどを判定する。情報が利用できる場合、処理は、ステップ２７２２からステップ２７２４に進む。そうでない場合、処理は、ステップ２７２２からステップ２７３２に進む。ステップ２７２４で、無線端末は、第１と第２の受信信号を合成し、次いで、ステップ２７２６で、無線端末は、合成信号に対して復号操作を行う。処理は、ステップ２７２６からステップ２７２８に進む。ステップ２７２８で、無線端末は、ステップ２７２６の復号操作の結果に基づいて続行する。無線端末が、ステップ２７２６で、復号に成功しなかったと判定した場合、処理は、ステップ２７２８からステップ２７１８に進む。しかしながら、無線端末が、ステップ２７２６で、復号に成功したと判定した場合、処理は、ステップ２７２８からステップ２７３０に進む。ステップ２７３０で、無線端末は、回復された第１の番組情報の提示可能なコピーを生成する。処理は、ステップ２７３０からステップ２７３２に進む。ステップ２７３２で、無線端末は、第１の搬送波に同調する。処理は、ステップ２７３２からステップ２７０４に進み、ここで、無線端末は、次の番組セグメントなど、第１の搬送波上で搬送されている第１の番組に対応する別の放送信号を受信する。
【０１５８】
ステップ２７１８に戻って、ステップ２７１８で、無線端末は、第１の搬送波に同調する。処理は、ステップ２７１８からステップ２７０４に進み、ここで、無線端末は、次の番組セグメントなど、第１の搬送波上で搬送されている第１の番組に対応する別の放送信号を受信する。
【０１５９】
いくつかの実施形態では、正常な復号に続いて、回復された情報が格納され、例えば、複数の回復番組セグメントの組み立てに対応する第１の番組情報の提示可能なコピーの生成など、回復されている第１の番組情報の提示可能なコピーが後で生成される。
【０１６０】
様々な実施形態において、第１の搬送波は第１の基地局送信機に対応し、第２の搬送波は第２の基地局送信機に対応し、上記、第１と第２の基地局送信機は、セクタの隣接するセル内に位置する。様々な実施形態において、第１と第２の受信信号は、同じ番組内容を含むが、異なる時刻に受け取られる。
【０１６１】
図２８は、移動ノードなどの無線端末の例２８００を示す図である。例示的無線端末２８００は、様々な要素がデータと情報を交換し合うためのバス２８１４を介して相互に結合されている、受信モジュール２８０２と、送信モジュール２８０４と、プロセッサ２８０６と、入出力装置２８０８と、メモリ２８１０と、復号モジュール２８１２を含む。また、復号モジュール２８１２は、リンク２８１６によっても受信モジュール２８０２に結合されている。様々な実施形態において、復号モジュール２８１２は、受信モジュール２８０２の一部として、かつ／またはメモリ２８１０の一部として含まれる。メモリ２８１０は、ルーチン２８１８とデータ／情報２８２０を含む。無線端末２８００は、ルーチン２８１８を実行し、メモリ２８１０内のデータ／情報２８２０を使って無線端末の動作を制御する。
【０１６２】
受信モジュール２８０２は、例えば、ＯＦＤＭ受信機などであり、無線端末が、１つまたは複数の基地局送信機からの番組情報を含むダウンリンク信号を受信するための受信アンテナ２８０３に結合されている。様々な実施形態において、受信モジュール２８０２は、一度に単一の搬送波を受信することのできる単一搬送波受信機である。
【０１６３】
復号モジュール２８１２は、受信モジュール２８０２に結合されており、受信放送信号に対する復号操作を行う。復号モジュール２８０２は、単一のソースから受け取られる信号に対する復号操作と、複数のソースから受け取られる合成信号に対する復号操作を行うことができる。
【０１６４】
ユーザ入出力装置２８０８は、ユーザが、無線端末２８００の少なくとも一部の動作を制御し、情報を入力し、番組情報を選択し、受け取られ、回復された番組情報のオーディオ出力提示を聞き、かつ／または受け取られ、回復された番組情報のビデオ出力を見ることを可能にする。ユーザ入出力装置２８０８には、例えば、キーパッド、キーボード、スイッチ、タッチスクリーン、マイクロホン、カメラなどのユーザ入力装置、ビデオ画面などの表示装置、スピーカなどのオーディオ出力装置が含まれる。
【０１６５】
送信モジュール２８０４は、例えば、ＯＦＤＭ送信機などであり、無線端末が、基地局にアップリンク信号を送信するための送信アンテナ２７０５に結合されている。いくつかの実施形態では、アップリンク信号の一部は、放送番組へのアクセスを求める要求、無線端末２８００のユーザに受け取られ、提示される１つまたは複数の放送番組などに付随する課金情報、１つまたは複数の放送番組の料金請求についての許可の少なくとも１つを含む。いくつかの実施形態では、受信モジュール２８０２と送信モジュール２８０４に同じアンテナが使用される。いくつかの実施形態では、無線端末２８００のいくつかは、送信モジュール２８０４を含まない。
【０１６６】
ルーチン２８１８は、通信ルーチン２８２２と無線端末制御ルーチン２８２４を含む。通信ルーチンは、様々な通信機能を実行し、無線端末２８００によって使用される通信プロトコルを実施する。無線端末制御ルーチン２８２４には、復号操作評価モジュール２８２６、受信機切り換え制御モジュール２８２８、番組セグメント合成モジュール２８３０、搬送波強度監視モジュール２８３２、および搬送波選択モジュール２８３４が含まれる。
【０１６７】
復号操作評価モジュール２８２６は、放送信号の復号に成功しなかったかどうか判定する。受信機切り換え制御モジュール２８２８は、復号操作に成功しなかったという復号操作評価モジュール２８２６の判定に応答して、受信モジュール２８０２を、第１と第２の搬送波などの搬送波を切り換えるように制御する。いくつかの実施形態では、同じ番組セグメントを、第１と第２両方の搬送波上で異なる時刻に送信される信号から回復することができ、受信機切り換え制御モジュール２８２８は、同じ情報内容を有するセグメント送信間の時間オフセットより短い期間内に切り換わる切り換え機能を含む。
【０１６８】
番組セグメント合成モジュール２８３０は、異なる搬送波上で受け取られる信号を復号することによって生成される番組セグメントを合成して、回復される放送番組の提示可能なコピーを生成する。
【０１６９】
搬送波強度監視モジュール２８３２は、第１と第２の搬送波信号の受信強度を示す、受信ビーコンおよび／またはパイロット信号などの受信信号の強度をチェックする。搬送波選択モジュール２８３４は、搬送波選択操作を、搬送波強度監視モジュール２８３２によって決定される、放送番組を搬送するのに使用されている、第１と第２の搬送波などの搬送波の相対的受信強度の関数として行う。
【０１７０】
データ／情報２８２０は、複数の受信番組バッファのセット（第１の搬送波の受信番組バッファ２８３６、・・・、第Ｎの搬送波の受信番組バッファ２８３８、複数の搬送波からの受信信号に対応する合成番組バッファ２８４０）を含む。いくつかの実施形態では、第１の搬送波は第１の基地局送信機に対応し、第２の搬送波は第２の基地局送信機に対応し、上記第１と第２の基地局送信機は、隣接するセルまたはセクタ内に位置する。受信番組バッファ（第１の搬送波）２８３６は、受信番組セグメント情報（情報セグメント１情報２８４２、・・・、セグメントＭ情報２８４４）を含む。受信番組バッファ（第Ｎの搬送波）２８３８は、受信番組セグメント情報（情報セグメント１情報２８４６、・・・、セグメントＭ情報２８４８）を含む。受信番組バッファ（複数の搬送波）２８４０は、受信番組セグメント情報（情報セグメント１情報２８５０、・・・、セグメントＭ情報２８５２）を含む。受信番組バッファ（第１の搬送波）２８３６内の情報と、受信番組バッファ（第Ｎの搬送波）２８２８内の情報は、受信モジュール２８０２からの情報を表し、この情報は、復号モジュール２８１２に送られ得る。合成番組バッファ（複数の搬送波）２７４０内の情報は、復号モジュール２７１２によって、例えば、番組セグメントが、第１の搬送波に対応する受信情報または第２の搬送波に対応する受信情報を個々に使って正常に復号できなかったときに、番組セグメントを復号しようと試みるのに使用され得る、複数の搬送波からの受信情報の合成を表す。
【０１７１】
また、データ／情報２８２０は、複数の、復号などの処理済み番組バッファのセット（第１の搬送波の処理済み（復号）番組のバッファ２８５４、・・・、第Ｎの搬送波の処理済み（復号）番組バッファ２８５６、複数の搬送波からの受信信号に対応する処理済み（復号）番組バッファ２８５８）も含む。復号などの処理済み番組バッファ（第１の搬送波）２８５４は、復号などの処理済み番組セグメント情報（情報セグメント１情報２８６０、・・・、セグメントＭ情報２８６２）を含む。復号などの処理済み番組バッファ（第Ｎの搬送波）２８３８は、復号などの処理済み番組セグメント情報（情報セグメント１情報２８６４、・・・、セグメントＭ情報２８６６）を含む。復号などの処理済み番組バッファ（複数の搬送波）２８５８は、復号などの処理済み番組セグメント情報（情報セグメント１情報２８６８、・・・、セグメントＭ情報２８７０）を含む。処理済み（復号）番組バッファ（第１の搬送波）２８５６、処理済み（復号）番組バッファ（第Ｎの搬送波）２８５４、および処理済み（復号）番組バッファ（複数の搬送波）２８５８内の情報は、復号モジュール２８１２からの出力を表す。
【０１７２】
番組に対応する合成番組セグメント２８７２は、番組セグメント合成モジュール２８３０の出力を表し、バッファ２８５４、２８５６、２８５８の１つまたは複数からの復号番組セグメント情報の合成を表す。例えば、あるときには、情報２８７２は、第１の搬送波に対応するセグメント１情報２８６０、・・・、セグメントＭ情報２８６２など、単一の搬送波からの情報の復号から供給される回復番組セグメントを含む。別のときには、情報２８７２は、複数の搬送波からの番組セグメントの正常な個々の復号に対応する情報の復号から供給される回復番組セグメントを含み、個々の番組セグメントは、第１の搬送波に対応するセグメント１情報２８６０や、第Ｎの搬送波に対応するセグメントＭ情報２８６６など、単一の搬送波からの情報から回復される。別のときには、情報２８７２は、個々の処理済み搬送波バッファ（２８５４、・・・、２８５６）の少なくとも１つからの少なくとも１つの回復番組セグメントと、セグメント１情報２８５８やセグメント１情報２８６４など、処理済み合成番組バッファ２８５８からの少なくとも１つの回復番組セグメントを含む。別のときには、情報２８７２に含まれる各セグメントは、処理済み復号合成番組バッファ２８５８から供給される。
【０１７３】
搬送波強度情報２８７６は、搬送波強度監視モジュール２８３２によって獲得される測定値、測定される信号を、送信機によって使用されている搬送波と関連付けられる送信電力レベル情報と相関させる情報、および相対的信号強度情報を含む。搬送波強度情報２８７６は、搬送波選択モジュール２８３４によって使用される。
【０１７４】
現在選択されているダウンリンク搬送波情報２８７８は、無線端末が択一的搬送波、例えば、択一的に放送番組を受信し、復号しようと試みるために同調し得る２つの搬送波などを識別する情報、ならびに、無線端末が現在これの受信モジュールを同調させている現在の搬送波、例えば、受信モジュール２８０２が現在放送番組セグメントを受信するように設定している２つの択一的搬送波の１つなどを識別する情報を含む。
【０１７５】
現在の基地局／セクタ識別情報２８８０は、無線端末が、例えば、択一的に選択される放送番組を受信するために同調することのできる、択一的基地局接続点送信機と関連付けられる基地局、セクタ、セクタの種類、および／またはダウンリンク搬送波を識別する情報と、受信モジュール２８０２が、現在、放送番組セグメントを受信するために同調されている接続点送信機を識別する情報を含む。
【０１７６】
システム（ＯＦＤＭシステムなど）タイミング／周波数構造情報２８８２は、ダウンリンク／アップリンクチャネル構造情報、ダウンリンク／アップリンク搬送波情報、ダウンリンク／アップリンクトーンホッピング情報などを含む。システム構造情報２８８２は、放送番組専用のダウンリンクチャネル構造内のトラフィックチャネルセグメントを識別する情報を含む。
【０１７７】
番組ディレクトリ情報２８８４は、複数の利用可能な異なる放送番組を識別する情報を含む。番組ディレクトリ情報２８８４は、個々の番組について、番組と関連付けられる送信機および送信機によって使用される搬送波、ならびに送信機／搬送波の組み合わせについて番組のセグメントと関連付けられる送信タイミングを識別する情報を含む。
【０１７８】
ユーザ／装置／セッション／リソース情報２８７４は、ログイン名、パスワードなどのユーザ識別情報、アクセス情報、装置識別情報、受信放送番組に対応する課金情報を含むセッション情報、および無線端末によって放送番組を回復するのに使用される無線リンクリソースを識別する情報を含む。
【０１７９】
図２９は、通信方法の例を示す流れ図２９００である。例えば、例示的通信方法は、例えば、番組が番組セグメントに細分される、１つまたは複数の番組の放送を含むＯＦＤＭ通信システムにおいて使用され得る。処理はステップ２９０２から開始し、ここで、システム内の基地局が電源投入され、初期設定される。処理は、開始ステップ２９０２からステップ２９０４と２９０６に進む。
【０１８０】
ステップ２９０４で、第１の基地局は、情報を送信するように動作する。ステップ２９０６は、サブステップ２９０８を含む。サブステップ２９０８で、第１の基地局は、第１の番組に対応する複数の異なる番組セグメントを送信するように動作する。
【０１８１】
ステップ２９０６で、上記第１の基地局に隣接して位置する第２の基地局は、上記第１の基地局によって送信される情報を送信するように動作し、第２の基地局によって送信される情報は、同じ情報が、第１と第２の基地局によって、異なる時刻に送信されるように送信される。ステップ２９０６はサブステップ２９１２を含む。サブステップ２９１２で、第２の基地局は、第１の番組に対応する同じ複数の異なる番組セグメントを、同じ情報内容を有するセグメントが、第１の基地局によって送信される同じ情報内容を有するセグメントから時間オフセットを持たせて送信されるように動作する。
【０１８２】
いくつかの実施形態では、少なくとも時々は、ステップ２９０４はサブステップ２９１０を含み、ステップ２９０６はサブステップ２９１４を含む。ステップ２９１０で、第１の基地局は、第２の番組に対応する複数の異なる番組セグメントを送信するように動作する。ステップ２９１４で、第２の基地局は、第２の番組に対応する同じ複数の異なる番組セグメントを、同じ情報内容を有するセグメントが、第１の基地局によって送信される同じ情報内容を有するセグメントから時間オフセットを持たせて送信されるように動作する。
【０１８３】
様々な実施形態において、第１の基地局を、情報を送信するように動作させることは、第１の搬送波を使って情報を送信することを含み、第２の基地局を、情報を送信するように動作させることは、第１の搬送波と異なる周波数を有する第２の搬送波を使って情報を送信することを含む。いくつかのかかる実施形態では、第１と第２の基地局は、上記情報を、異なる電力レベルで送信する。
【０１８４】
いくつかの実施形態では、第１の基地局から情報を送信することは、少なくとも１つのＯＦＤＭシンボルと、サイクリックプレフィックス期間を有するサイクリックプレフィックスを使用して情報を送信することを含み、上記第１と第２の基地局は、このサイクリックプレフィックス期間内に同期されない。
【０１８５】
図３０は、番組の放送をサポートする、ＯＦＤＭ通信システムなどの通信システムの例３０００を示す図である。例示的通信システム３０００は、複数の基地局（基地局１  ３００２、基地局２  ３００４）と、複数の移動ノードなどの無線端末（無線端末１  ３００６、・・・、無線端末Ｎ  ３００８）と、ネットワークノード３０１０を含む。基地局１  ３００２は、セル１  ３００３のセルラカバーエリアを有する単一セクタ基地局であり、基地局２  ３００４は、セル２  ３００５のセルラカバーエリアを有する単一セクタ基地局である。基地局１  ３００２と基地局２  ３００４は、相互に隣接して位置する。基地局（３００２、３００４）は、それぞれ、ネットワークリンク（３０１２、３０１４）を介して、ルータなどのネットワークノード３０１０に結合されている。ネットワークノードは、ネットワークリンク３０１６を介してインターネットおよび／または他のネットワークノードに結合されている。ネットワークリンク（３０１２、３０１４、３０１６）は、例えば、光ファイバリンクや、銅線などである。
【０１８６】
無線端末（３００６、３００８）は、無線リンクを介して基地局と通信する。無線端末（３００６、３００８）は、基地局からダウンリンク放送番組信号を受信するものとして示されている。基地局１  ３００２は、無線端末（３００６、３００８）によって受け取られるダウンリンク放送番組信号３０１８を送信する。基地局２  ３００４は、無線端末（３００６、３００８）によって受け取られるダウンリンク放送番組信号３０２０を送信する。
【０１８７】
基地局１  ３００２は、送信モジュール３０２２と、送信時刻制御モジュール３０２４と、電力制御モジュール３０２６と、第１の番組のための格納番組セグメントのセット３０２８と、格納送信タイミングスケジューリング情報３０３０と、格納送信電力情報３０３２と、タイミング許容度情報３０２７を含む。基地局送信機３０２２は、例えば、搬送周波数ｆ１を使用するＯＦＤＭ送信機などであり、ビデオ番組などの第１の番組のための格納番組セグメントのセット内の情報３０２８などの情報を送信する。送信時刻制御モジュール３０２４は、同じ内容を有する同じ情報の番組セグメントなどの部分が、第１の基地局送信機と第２の基地局送信機によって、異なる時刻に送信されるように、第１の基地局送信機３０２２を、第２の基地局送信機によって送信されるのと同じ情報を、第２の送信機による送信から時間差を置いて送信するように制御する。電力制御モジュール３０２６は、第１の基地局送信機３０２２を、電力レベルＰ１など、第１の電力レベルで情報を送信するように制御する。
【０１８８】
格納送信スケジューリング情報３０３０は、第１の番組に対応する番組セグメントが、ｆ１など第１の搬送波を使って、第１の基地局送信機３０２２によっていつ送信されるべきかを示す情報を含む。格納送信電力レベル情報３０３２は、第１の番組に対応する番組セグメントが、第１の搬送波を使って、第１の基地局送信機３０２２から設定して送信される際のＰ１などの第１の送信電力レベルを示す情報を含む。様々な実施形態において、第１と第２の基地局送信機（３０２２、３０３４）は、サイクリックプレフィックス期間より大きいが、同じ情報内容を有する情報の番組セグメントなどの部分の、第１の基地局送信機と第２の基地局送信機による送信間の送信時間差より小さいレベルにタイミング同期される。タイミング許容度情報３０２７は、タイミング送信タイミング制御モジュール３０２６によって使用される、例えば、第１と第２の基地局送信機（３０２２、３０４０）の間の同期レベルなどに関する、最大タイミング許容値を含む。
【０１８９】
基地局２  ３００４は、送信モジュール３０３４と、送信時刻制御モジュール３０３６と、第１の番組のための格納番組セグメントのセット３０４０と、格納送信タイミングスケジューリング情報３０４２と、格納送信電力情報３０４４と、タイミング許容度情報３０３９を含む。基地局送信機３０３４は、ｆ１とは異なる搬送周波数ｆ２を使用するＯＦＤＭ送信機などであり、ビデオ番組などの第１の番組のための格納番組セグメントのセット３０４０内の情報などの情報を送信する。第１の番組のための格納番組セグメントのセット３０４０内の情報は、第１の番組のための格納番組セグメントのセット３０２８内の情報と同じ内容を有する。送信時刻制御モジュール３０３６は、同じ内容を有する同じ番組の番組セグメントなどの部分が、第１の基地局送信機と第２の基地局送信機によって、異なる時刻に送信されるように、第２の基地局送信機３０３４を、第１の基地局送信機によって送信されるのと同じ情報を、第１の送信機による送信から時間差を置いて送信するように制御する。いくつかのかかる実施形態では、同じ情報を搬送する、基地局１送信機３０２２と基地局２送信機３０３４など、異なるソースからのセグメントが、オーバーラップしないようにタイミング制御される。電力制御モジュール３０３８は、第２の基地局送信機３０３４を、Ｐ１と異なる電力レベルＰ２などの第２の電力レベルで情報を送信するように制御する。
【０１９０】
格納送信スケジューリング情報３０４２は、第１の番組に対応する番組セグメントが、ｆ２などの第２の搬送波を使って、第２の基地局送信機３０３４によっていつ送信されるべきかを示す情報を含む。格納送信電力レベル情報３０４４は、第１の番組に対応する番組セグメントが、第２の搬送波を使って、第２の基地局送信機３０４４から送信される際の、Ｐ２などの第２の送信電力レベルを示す情報を含む。様々な実施形態において、第１と第２の基地局送信機（３０２２、３０３４）は、サイクリックプレフィックス期間より大きく、同じ情報内容を有する情報の番組セグメントなどの部分の、第１の基地局送信機と第２の基地局送信機による送信の間の送信時間差より小さいレベルにタイミング同期される。タイミング許容度情報３０３９は、タイミング送信タイミング制御モジュール３０３６によって、例えば、第１と第２の基地局送信機（３０２２、３０４０）の間の同期レベルなどに関して使用される最大タイミング許容値を含む。
【０１９１】
様々な実施形態が、隣接する基地局の間で、比較的粗いレベルの同期を維持することに留意されたい。いくつかの実施形態では、粗いレベルの送信側タイミング同期が、システムにおいて、ネットワークノード３０１０などの基地局外部のノードによって制御される。いくつかの実施形態では、基地局３００２、３００４が、この粗いレベルの同期を調整し、維持するための信号を交換する。いくつかの実施形態では、基地局は、この基地局間の粗いレベルの同期を達成し、かつ／または維持するために信号の交換を行う必要がなく、様々な実施形態において交換を行わない。いくつかのかかる実施形態では、基地局３００２などの個々の基地局が、正確なクロック基準信号などの独自のタイミング基準、および／または、外部のタイミングソースの基準信号を使って、基地局間の粗いレベルの所望のタイミング同期を維持する。
【０１９２】
他のいくつかの実施形態では、第１と第２の基地局送信機はセクタ送信機であり、第１と第２の送信機の少なくとも１つが、マルチセクタセル内に位置する。
【０１９３】
図３１は、アクセスノードなどの基地局の例３１００を示す図である。例示的基地局３２００は、様々な要素がデータと情報を交換し合うためのバス３１１２を介して相互に結合された、マルチキャリヤ受信機構３１０２と、マルチキャリヤ送信機構３１０４と、プロセッサ３１０６と、入出力インターフェース３１０８と、メモリ３１１０を含む。メモリ３１１０は、ルーチン３１２６とデータ／情報３１２８を含む。基地局３１００は、ルーチン３１２６を実行し、メモリ３１１０内のデータ／情報３１２８を使って基地局３１００の動作を制御し、方法を実施する。
【０１９４】
マルチキャリヤ受信機構３１０２は、ＯＦＤＭ受信機構などであり、基地局３１００が無線端末からアップリンク信号を受信するための受信アンテナ３１０３に結合されている。いくつかの実施形態では、受信アップリンク信号は、放送番組へのアクセスを求める要求、放送番組の料金請求についてユーザの許可、および／または無線端末によってアクセスされる放送番組に付随する課金情報を含む。受信機構３１０２は、受信信号の少なくとも一部を復号する復号器を含む。基地局３１００が、これの無線インターフェースに関して、もっぱら放送モードで機能するいくつかの実施形態など、いくつかの実施形態では、受信機構３１０２は含まれない。
【０１９５】
マルチキャリヤ送信機構３１０４は、ＯＦＤＭマルチキャリヤ送信機構などであり、基地局３１００が無線端末にダウンリンク信号を送信するための送信アンテナ３１０５に結合されており、送信信号の少なくとも一部は、放送番組信号を含む。マルチキャリヤ送信モジュール３１０４の２つの代替の例示的実施形態を示す。第１の実施形態には、３搬送波の送信モジュール３１１６が含まれ、第２の実施形態では、３つの別々の単一搬送波の送信モジュール（搬送波１送信モジュール３１１８、搬送波２送信モジュール３１２０、搬送波３送信モジュール３１２２）が使用される。例えば、３搬送波の送信モジュール３１１６が使用される場合、いくつかの実施形態では、３搬送波の送信モジュール３１１６は、例えば、３３９トーンを使用し、それぞれが、個々のトーンブロックを回復する無線端末によって使用されるべき搬送周波数と関連付けられる１１３トーンずつの３つのトーンブロックを含むＯＦＤＭシンボルなど、３つのオーバーラップしないダウンリンクトーンブロックを含むＯＦＤＭシンボルを生成し得る。別の例として、いくつかの実施形態では、３つの別々の搬送波の送信モジュール（３１１８、３１２０、３１２２）が使用される場合、搬送波に対応する各ＯＦＤＭシンボルは、例えば、各ＯＦＤＭシンボルが１１３トーンのトーンブロックを使用するなど、独立に生成され、送信される。また、マルチキャリヤ送信機構３１０４は、ダウンリンク信号の少なくとも一部を符号化する符号化モジュール３１２４も含む。
【０１９６】
入出力インターフェース３１０８は、基地局３１００を、インターネットおよび／または他のネットワークノード、例えば、番組コンテンツサーバ、他の基地局、ルータ、セキュリティサーバノード、課金ノードなどに結合するのに使用される。
【０１９７】
ルーチン３１２６には、通信ルーチン３１２８と基地局制御ルーチン３１３０が含まれる。通信ルーチン３１２８は、基地局３１００によって使用される様々な通信プロトコルを実施し、入出力インターフェース３１０８の制御など、様々な通信操作を実行する。基地局制御ルーチン３１３０は、搬送波１送信制御モジュール３１３２、搬送波２送信制御モジュール３１３４、搬送波３送信制御モジュール３１３６、番組送信制御モジュール３１８８、およびコンテンツ制御モジュール３１４６を含む。番組送信制御モジュール３１３８は、搬送波１番組解像度レベル１サブモジュール３１４０、搬送波２番組解像度レベル２サブモジュール３１４２、および搬送波３番組解像度レベル３サブモジュール３１４４を含む。
【０１９８】
搬送波１送信制御モジュール３１３２は、搬送波１の送信に関してマルチキャリヤ送信モジュール３１０４を制御し、例えば、搬送波ｆ１上の、電力レベルＰ１、データ転送速度Ｒ１での番組情報の送信を制御する。搬送波２送信制御モジュール３１３４は、搬送波２の送信に関してマルチキャリヤ送信モジュール３１０４を制御し、例えば、搬送波ｆ２上の、電力レベルＰ２、データ転送速度Ｒ２での番組情報の送信を制御する。搬送波３送信制御モジュール３１３６は、搬送波３の送信に関してマルチキャリヤ送信モジュール３１０４を制御し、例えば、搬送波ｆ３上の、電力レベルＰ３、データ転送速度Ｒ３での番組情報の送信を制御する。
【０１９９】
番組送信制御モジュール３１３８動作は、送信される信号に対応するビデオ解像度レベルを制御することを含む。搬送波１番組解像度レベル１サブモジュール３１４０は、ビデオ番組の少なくとも一部分が、搬送波１上で第１のビデオ解像度レベルで送信されるよう制御する。搬送波２番組解像度レベル２サブモジュール３１４２は、ビデオ番組の少なくとも一部分が、搬送波２上で、例えば、搬送波１に関して使用される解像度レベルより低い解像度レベルなどの第２のビデオ解像度レベルで送信されるよう制御する。搬送波３番組解像度レベル３サブモジュール３１４４は、ビデオ番組の少なくとも一部分が、搬送波３上で第３のビデオ解像度レベルで送信されるよう制御する。
【０２００】
コンテンツ制御モジュール３１４６は、異なる搬送波に対応する放送セグメント内のコンテンツを制御する。いくつかの実施形態では、コンテンツ制御モジュール３１４６は、例えば、第１と第２の搬送波や、第１と第２と第３の搬送波など、複数の搬送波上に同じ番組情報の少なくとも一部を、異なる解像度で含める操作を行う。コンテンツ制御モジュール３１４６は、ビデオ番組情報３１７４を、搬送波のそれぞれと関連付けられる放送送信セグメントに組み込む。
【０２０１】
データ／情報３１２８は、送信電力レベルＰ１を識別する情報を含む搬送波１電力レベル情報３１４８と、送信電力レベルＰ２を識別する情報を含む搬送波２電力レベル情報３１５０と、送信電力レベルＰ３を識別する情報を含む搬送波３電力レベル情報３１５２を含む。様々な実施形態において、Ｐ１はＰ２と同等ではなく、Ｐ２はＰ３と同等ではない。
【０２０２】
また、データ／情報３１２８は、ダウンリンク搬送波１をｆ１と識別する情報を含む搬送波１周波数情報と、ダウンリンク搬送波２をｆ２と識別する情報を含む搬送波２電力周波数情報３１５６と、搬送波３をｆ３と識別する情報を含む搬送波３周波数情報３１５８も含む。様々な実施形態において、ｆ１はｆ２とは異なり、ｆ２はｆ３とは異なる。いくつかのかかる実施形態では、オーバーラップしないダウンリンクトーンブロック、例えば、１１３トーンのＯＦＤＭトーンブロックなどが、これら３つの搬送波のそれぞれと関連付けられる。
【０２０３】
また、データ／情報３１２８は、搬送波１上の放送番組セグメントに使用されるべき情報データ転送速度としてＲ１を識別する情報を含む搬送波１データ転送速度情報３１６０と、搬送波２上の放送番組セグメントに使用されるべき情報データ転送速度としてＲ２を識別する情報を含む搬送波２データ転送速度情報３１６８と、搬送波３上の放送番組セグメントに使用されるべき情報データ転送速度としてＲ３を識別する情報を含む搬送波３データ転送速度情報３１７０も含む。様々な実施形態において、Ｒ１はＲ２とは異なり、Ｒ２はＲ３とは異なる。
【０２０４】
また、データ／情報３１２８は、放送番組情報３１７２と放送番組送信情報３１８０も含む。放送番組情報３１７２は、ビデオ番組情報３１７８を含む。ビデオ番組情報３１７４は、ビデオ番組に対応する複数の情報（情報１  ３１７６、情報Ｍ  ３１７８）を含む。様々な実施形態において、放送番組情報３１７２は、複数の異なる番組に対応する情報を含む。いくつかの実施形態では、放送番組情報３１７６は、音声番組情報を含む。
【０２０５】
放送番組送信情報３１８０は、搬送波１に対応する複数の情報セット（搬送波１情報セグメント１情報３１８２、・・・、搬送波１セグメントＮ情報３１８４）と、搬送波２に対応する複数の情報セット（搬送波２情報セグメント１情報３１８６、・・・、搬送波２セグメントＮ情報３１８８）と、搬送波３に対応する複数の情報セット（搬送波３情報セグメント１情報３１９０、・・・、搬送波３セグメントＮ情報３１９２）と、送信スケジュールタイミング情報３１９４を含む。
【０２０６】
様々な実施形態の技法は、ソフトウェア、ハードウェア、および／またはソフトウェアとハードウェアの組み合わせを使って実施され得る。様々な実施形態は、移動端末などの移動ノード、基地局、通信システムといった装置を対象とする。また、移動ノード、基地局、および／またはホストなどの通信システムを制御し、かつ／または動作させる方法などの方法も対象とする。また、様々な実施形態は、１つまたは複数のステップを実施するように機械を制御する機械可読命令を含む、ＲＯＭ、ＲＡＭ、ＣＤ、ハードディスクなどの機械可読媒体も対象とする。
【０２０７】
様々な実施形態において、本明細書で説明する各ノードは、例えば、信号処理、メッセージ生成、および／または送信ステップなど、１つまたは複数の方法に対応するステップを実行する１つまたは複数のモジュールを使って実施される。よって、いくつかの実施形態では、様々な特徴が、モジュールを使って実施される。かかるモジュールは、ソフトウェア、ハードウェア、またはソフトウェアとハードウェアの組み合わせを使って実施され得る。前述の方法または方法ステップの多くは、ＲＡＭ、フロッピー（登録商標）ディスクなどのメモリ装置といった機械可読媒体に含まれる、ソフトウェアなどの機械実行可能命令を使って、例えば、追加ハードウェアを備え、または備えない汎用コンピュータなどの機械を制御し、１つまたは複数のノードなどにおいて、前述の方法の全部または一部を実施することとして実施され得る。したがって、様々な実施形態は、なかんずく、プロセッサや関連付けられるハードウェアなどの機械に、前述の（１つまたは複数の）方法のステップの１つまたは複数を実行させる機械実行可能命令を含む機械可読媒体を対象とするものである。
【０２０８】
ＯＦＤＭシステムの状況で説明がなされているが、様々な実施形態の方法および装置の少なくとも一部は、多くの非ＯＦＤＭおよび／または非セルラシステムを含む広範な通信システムに適用できる。
【０２０９】
以上の説明を考察すれば、前述の様々な実施形態の方法および装置に関する多数の追加の変形形態が、当業者には明らかであろう。かかる変形形態は、適用範囲内にあるとみなすべきである。以上の方法および装置は、アクセスノードと移動ノードの間で無線通信リンクを提供するのに使用され得る、ＣＤＭＡ、直交周波数分割多重化（ＯＦＤＭ）、および／または他の様々な種類の通信技術と共に使用されてもよく、様々な実施形態において使用されるものである。いくつかの実施形態では、アクセスノードは、ＯＦＤＭおよび／またはＣＤＭＡを使って移動ノードとの通信リンクを確立する基地局として実施される。様々な実施形態において、移動ノードは、ノート型コンピュータ、携帯情報端末（ＰＤＡ）、または前述の方法を実施するための、受信側／送信側回路と論理および／またはルーチンを含む他の携帯用機器として実施される。
【図面の簡単な説明】
【０２１０】
【図１】２つの隣接する基地局が、単一の搬送周波数と、符号化デジタル放送情報ビットを搬送する変調シンボルを搬送する同じサブキャリア周波数、例えばトーンなどを使って、同じ信号を同時に送信する例を示す図である。
【図２】移動ノードが２つの基地局から等距離にないときに、受信信号が相互に対する同期を失いがちになり、同期損失の量が、移動ノードと各基地局の間の信号経路距離の差の関数であることを示す図である。
【図３】移動ノードが、受け取られる第１の基地局のダウンリンク信号のサイクリックプレフィックスが、受け取られる第２の基地局のダウンリンク信号のサイクリックプレフィックスとオーバーラップしないように位置し、このため、第１の基地局からの受信ダウンリンク信号が、第２の基地局からの受信ダウンリンク信号と干渉し、逆もまた同様であるような例を示す図である。
【図４】サイクリックプレフィックスの長さが増大し、よって、より大きいオーバーラップ領域が可能になるが、オーバーヘッドが増大する図３の問題を改善するのに使用される１つの公知の手法を示す図である。
【図５】ＯＦＤＭダウンリンクトーンの例がトーン間間隔を有することを示す図である。
【図６】ラジオ（音声）やビデオ番組放送などのダウンリンクデジタル放送をサポートする無線通信システムの例を示す図である。
【図７】図６に対応する、時間に対して異なる基地局の搬送波送信を表す図である。
【図８】各基地局が同じ情報を搬送するのに異なる搬送周波数を使用する複数の隣接する基地局からダウンリンク放送信号を受信する無線端末を動作させる方法の例を示す流れ図である。
【図９】図６のシステムと類似しているが、基地局ダウンリンク信号タイミング構造が、図６の実施形態に対応するタイミング構造とわずかに異なる別のシステムの例を示す図である。
【図１０】図９に対応する、時間に対して異なる基地局の搬送波送信を表す図である。
【図１１】各基地局が同じ情報を搬送するのに異なる搬送周波数を使用する複数の隣接する基地局からダウンリンク放送信号を受信する無線端末を動作させる方法の例を示す流れ図である。
【図１２】異なる強度レベルの複数の搬送波を使用する基地局が、異なる搬送波のそれぞれで、異なるビデオなどの異なる放送情報を搬送し得る、いくつかの実施形態の別の特徴を示す図である。
【図１３】基地局の例を示す図である。
【図１４】無線端末の例を示す図である。
【図１５】基地局の例を示す図である。
【図１６】移動ノードなどの無線端末の例を示す図である。
【図１７】基地局が、それぞれ、異なる電力レベルの３つの搬送波をサポートし、電力レベルの順序付けが、２つの隣接する基地局に関して異なるシステムの例を示す図である。
【図１８】基地局が、それぞれ、３つのセクタと、各セクタ内での３つの搬送波をサポートし、各セクタにおいて、３つの搬送波が異なる電力レベルにあり、電力レベルの順序付けが、２つの隣接するセクタに関して異なるシステムの例を示す図である。
【図１９】通信方法の例を示す流れ図１９００である。
【図２０】基地局を動作させる方法の例を示す流れ図２０００である。
【図２１】アクセスノードなどの基地局の例を示す図である。
【図２２】いくつかの番組情報セットの例を示す図である。
【図２３】無線端末を動作させる方法の例を示す流れ図である。
【図２４】無線端末を動作させる方法の例を示す流れ図である。
【図２５】移動ノードなどの無線端末の例を示す図である。
【図２６】番組の放送をサポートする、ＯＦＤＭ通信システムなどの通信システムの例を示す図である。
【図２７】無線端末を動作させる方法の例を示す流れ図である。
【図２８】移動ノードなどの無線端末の例を示す図である。
【図２９】通信方法の例を示す流れ図である。
【図３０】番組の放送をサポートする、ＯＦＤＭ通信システムなどの通信システムの例を示す図である。
【図３１】アクセスノードなどの基地局の例を示す図である。
【図１】
2008533819.tif 000003
【図２】
2008533819.tif 000004
【図３】
2008533819.tif 000005
【図４】
2008533819.tif 000006
【図５】
2008533819.tif 000007
【図６】
2008533819.tif 000008
【図７】
2008533819.tif 000009
【図８】
2008533819.tif 000010
【図９】
2008533819.tif 000011
【図１０】
2008533819.tif 000012
【図１１】
2008533819.tif 000013
【図１２】
2008533819.tif 000014
【図１３】
2008533819.tif 000015
【図１４】
2008533819.tif 000016
【図１５】
2008533819.tif 000017
【図１６】
2008533819.tif 000018
【図１７】
2008533819.tif 000019
【図１８】
2008533819.tif 000020
【図１９】
2008533819.tif 000021
【図２０】
2008533819.tif 000022
【図２１】
2008533819.tif 000023
【図２２】
2008533819.tif 000024
【図２３】
2008533819.tif 000025
【図２４】
2008533819.tif 000026
【図２５】
2008533819.tif 000027
【図２６】
2008533819.tif 000028
【図２７】
2008533819.tif 000029
【図２８】
2008533819.tif 000030
【図２９】
2008533819.tif 000031
【図３０】
2008533819.tif 000032
【図３１】
2008533819.tif 000033
【国際調査報告】
2008533819.tif 000034
2008533819.tif 000035
2008533819.tif 000036